(57)【特許請求の範囲】
【請求項１】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
前記信号入力線を介して前記スイッチ信号を検知すると共に、当該スイッチ信号が検知されたときに当該スイッチ信号の検知に同期して回路遮断信号を生成する信号入力線状態判定回路と、
前記回路遮断信号を前記無電圧入力回路に伝達して外部スイッチの押下の通報を指示し、かつ前記回路遮断信号の前記有電圧入力回路への印加を遮断するスイッチング制御を実行するスイッチング回路を有する
ことを特徴とする入力インタフェース装置。
【請求項２】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
前記信号入力線を介して前記スイッチ信号を検知すると共に、当該スイッチ信号が検知されたときに当該スイッチ信号の検知に同期して回路遮断信号を生成する信号入力線状態判定回路と、
前記回路遮断信号を前記無電圧入力回路に伝達して外部スイッチの押下の通報を指示し、かつ当該回路遮断信号に同期して前記外部スイッチの短絡状態を介して前記無電圧入力回路の入力端から前記有電圧入力回路の入力端への電流の流れ込みを遮断するスイッチング制御を実行するスイッチング回路を有する
ことを特徴とする入力インタフェース装置。
【請求項３】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
前記スイッチ信号に応じて前記信号入力線が短絡されたことを検知すると共に、当該信号入力線短絡状態が検知されたときに当該信号入力線短絡状態の検知に同期して回路遮断信号を生成する信号入力線状態判定回路と、
前記回路遮断信号を前記無電圧入力回路に伝達して外部スイッチの押下の通報を指示し、かつ当該回路遮断信号に同期して前記無電圧入力回路から前記有電圧入力回路を電気的に切断するスイッチング制御を実行するスイッチング回路を有する
ことを特徴とする入力インタフェース装置。
【請求項４】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
前記スイッチ信号に応じて前記信号入力線が短絡されたことを検知すると共に、当該信号入力線短絡状態が検知されたときに当該信号入力線短絡状態の検知に同期して回路遮断信号を生成する信号入力線状態判定回路と、
前記回路遮断信号を前記無電圧入力回路に伝達して外部スイッチの押下の通報を指示し、かつ当該回路遮断信号に同期して前記外部スイッチの短絡状態を介して前記無電圧入力回路の入力端から前記有電圧入力回路の入力端への電流の流れ込みを遮断するスイッチング制御を実行するスイッチング回路を有する
ことを特徴とする入力インタフェース装置。
【請求項５】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
停電時の前記信号入力線の停電時電位を検知すると共に、当該停電時電位が検知されたときに当該停電時電位の検知に同期して回路遮断信号を生成する信号入力線状態判定回路と、
前記回路遮断信号を前記無電圧入力回路に伝達して外部スイッチの押下の通報を指示し、かつ前記回路遮断信号の前記有電圧入力回路への印加を遮断するスイッチング回路を有する
ことを特徴とする入力インタフェース装置。
【請求項６】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
停電時の前記信号入力線の電位を検知すると共に、当該停電時電位が検知されたときに当該停電時電位の検知に同期して回路遮断信号を生成する信号入力線状態判定回路と、
前記回路遮断信号を前記無電圧入力回路に伝達して外部スイッチの押下の通報を指示し、かつ当該回路遮断信号に同期して前記外部スイッチの短絡状態を介して前記無電圧入力回路の入力端から前記有電圧入力回路の入力端への電流の流れ込みを遮断するスイッチング制御を実行するスイッチング回路を有する
ことを特徴とする入力インタフェース装置。
【請求項７】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
前記停電時電位に応じて前記信号入力線が短絡されたことを検知すると共に、当該信号入力線短絡状態が検知されたときに当該信号入力線短絡状態の検知に同期して回路遮断信号を生成する信号入力線状態判定回路と、
前記回路遮断信号を前記無電圧入力回路に伝達して外部スイッチの押下の通報を指示し、かつ当該回路遮断信号に同期して前記無電圧入力回路から前記有電圧入力回路を電気的に切断するスイッチング制御を実行するスイッチング回路を有する
ことを特徴とする入力インタフェース装置。
【請求項８】
外部スイッチが押下された時に生成されるスイッチ信号を送信する信号入力線と入力を共有して有電圧信号を受信する有電圧入力回路及び当該信号入力線と入力を共有して無電圧信号を受信する無電圧入力回路と前記信号入力線との間に介在し、
前記停電時電位に応じて前記信号入力線が短絡されたことを検知すると共に、当該信号入力線短絡状態が検知されたときに当該信号入力線短絡状態の検知に同期して回路遮断信号を生成する信号入力線状態判定回路と、
前記回路遮断信号を前記無電圧入力回路に伝達して外部スイッチの押下の通報を指示し、かつ当該回路遮断信号に同期して前記外部スイッチの短絡状態を介して前記無電圧入力回路の入力端から前記有電圧入力回路の入力端への電流の流れ込みを遮断するスイッチング制御を実行するスイッチング回路を有する
ことを特徴とする入力インタフェース装置。
【請求項９】
前記外部スイッチの出力端と所定の異常状態を検知した場合に前記有電圧信号を生成する有電圧警報器の出力端とが前記信号入力線に並列に接続され、
前記信号入力線と入力を共有して前記有電圧信号を受信する前記有電圧入力回路と、
信号入力線と入力を共有して前記無電圧信号を受信する前記無電圧入力回路と、
前記外部スイッチの出力端と前記有電圧警報器の出力端とが前記信号入力線を介して入力側に接続され、前記有電圧入力回路の入力端と前記無電圧入力回路の入力端とが出力端に各々接続されている前記入力インタフェース装置を有する
ことを特徴とする請求項１乃至８のいずれか一項に記載の入力インタフェース装置を用いた自動通報装置。
【請求項１０】
前記有電圧警報器は、ガス濃度の検知及びコンセント抜けに応じた前記有電圧信号を生成するガス漏れ警報器である、
ことを特徴とする請求項９に記載の自動通報装置。
【請求項１１】
ガス使用量を計数しガスの供給及び遮断を制御するマイコンメータを供え、
前記有電圧入力回路と前記無電圧入力回路とマイコンメータとが前記入力インタフェース装置の出力端に各々接続されている
ことを特徴とする請求項１０に記載の自動通報装置。
【請求項１２】
前記入力インタフェース装置は、
所定電位以上の有電圧信号を検出した場合に前記マイコンメータにガス弁遮断信号を出力する変換回路を有し、
前記マイコンメータは、当該ガス弁遮断信号の受信に応じてガス供給路に設けられたガス遮断弁を閉制御して供給ガスの遮断制御を実行するように構成されている
ことを特徴とする請求項９乃至１１のいずれか一項に記載の自動通報装置。
【請求項１３】
前記変換回路は、
所定電位以上の有電圧信号を検出した場合に、当該有電圧信号を検出したタイミングから所定時間だけ遅延した状態で前記マイコンメータにガス弁遮断信号を出力するように構成されている
ことを特徴とする請求項１２に記載の自動通報装置。
【請求項１４】
前記変換回路は、
所定電位以上の前記有電圧信号を検出した場合に導通状態となる第１ツェナーダイオードと、
前記第１ツェナーダイオードの導通状態に応じて活性化される第１トランジスタと、
前記第１トランジスタの活性化に応じて不活性化される第２トランジスタと、前記第２トランジスタの不活性化に応じて充電電圧を生成する第１抵抗素子及び第１コンデンサーとで構成された充電回路と、
前記充電回路の充電電圧と所定の閾値電圧との比較を行い、当該充電電圧が当該閾値電圧を越えた際に前記ガス弁遮断信号を生成する第１コンパレータと、
前記入力インタフェース装置と前記マイコンメータとを電気的に絶縁すると共に、前記ガス弁遮断信号を光信号に光電変換して前記マイコンメータに伝達する第１フォトカップラを有する
ことを特徴とする請求項１３に記載の自動通報装置。
【請求項１５】
前記スイッチング回路は、前記外部スイッチが活性化された際の前記有電圧信号の信号状態または停電時の前記有電圧信号の信号状態に応じて、前記有電圧入力回路及び前記変換回路を前記信号入力線状態判定回路から電気的に切断して当該信号入力線状態判定回路から前記有電圧入力回路または前記変換回路への電流の流れ込みを遮断して前記スイッチング制御を実行するように構成されている
ことを特徴とする請求項１２に記載の自動通報装置。
【請求項１６】
前記スイッチング回路は、所定電圧の入力信号に応じて導通状態となる第２ツェナーダイオードと、前記第２ツェナーダイオードの導通状態に応じて活性化される第４トランジスタと、前記第４トランジスタの活性化に応じて活性化されて前記変換回路及び前記有電圧入力回路に前記ガス漏れ警報器からの前記有電圧信号を供給する第３トランジスタを有する
ことを特徴とする請求項１５に記載の自動通報装置。
【請求項１７】
前記外部スイッチが活性化された際に前記ガス漏れ警報器からの電力によって発光するように接続された発光素子を備えた発光回路を有する
ことを特徴とする請求項１５または１６に記載の自動通報装置。
【請求項１８】
前記発光回路は、
停電時に発光するように接続された発光素子を有する
ことを特徴とする請求項１５または１６に記載の自動通報装置。
【請求項１９】
前記スイッチング回路は、
平常時にガス漏れ警報器から出力されている定常電位に順方向接続された第１ダイオードと、前記第１ダイオードのカソードに接続された第７抵抗素子と、前記第１ダイオード及び前記第７抵抗素子を介して充電される第４コンデンサーを有し、
前記発光素子は、前記外部スイッチの活性化時または前記停電時に前記第４コンデンサーの蓄積電荷の放電電流を用いて発光するように当該放電電流に対して順方向に接続されている
ことを特徴とする請求項１７または１８に記載の自動通報装置。
【請求項２０】
前記スイッチング回路は、
前記外部スイッチが活性化された際にまたは停電時に前記放電電流を前記発光素子に供給するために当該発光素子に対して順方向に接続された第１ダイオード及び第８抵抗素子を有する
ことを特徴とする請求項１９に記載の自動通報装置。
【請求項２１】
前記信号入力線状態判定回路は、
前記外部スイッチが活性化され押され、入力電圧が所定電圧以下になったときに導通状態となる第３ツェナーダイオードと、
前記第３ツェナーダイオードの導通状態に応じて活性化されて前記回路遮断信号を生成する第５トランジスタを有し、
前記第５トランジスタのベース電流が前記第３ツェナーダイオードを介して前記外部スイッチに流れ込むように構成されている
ことを特徴とする請求項１２に記載の自動通報装置。
【請求項２２】
前記入力インタフェース装置は、
前記信号入力線状態判定回路からの前記回路遮断信号を受信して所定の時間幅を有する無電圧ＯＮ信号に信号変換すると共に、当該無電圧ＯＮ信号を前記無電圧入力回路に伝達する無電圧信号引き延ばし回路を有する
ことを特徴とする請求項１２に記載の自動通報装置。
【請求項２３】
前記無電圧信号引き延ばし回路は、
所定の時間幅を決定するための第６抵抗素子及び第３コンデンサーを有する時定数回路と、
前記信号入力線状態判定回路からの前記回路遮断信号と所定の閾値電圧との比較を行い、当該回路遮断信号が当該閾値電圧を越えた際に前記所定の時間幅だけ活性化される第２コンパレータと、
前記入力インタフェース装置と前記無電圧入力回路とを電気的に絶縁すると共に、前記第２コンパレータの活性化に応じて前記所定の時間幅だけ活性化され前記無電圧ＯＮ信号を光信号に光電変換して前記無電圧入力回路に伝達する第２フォトカップラを有する
ことを特徴とする請求項２２に記載の自動通報装置。
【請求項２４】
前記入力インタフェース装置は、
前記ガス漏れ警報器からの前記有電圧信号を電源として所定の電力を蓄積すると共に、前記外部スイッチが活性化されたときまたは停電時に前記ガス漏れ警報器から前記有電圧信号が零電位になった場合に、当該蓄積電力を前記信号入力線状態判定回路及び前記無電圧信号引き延ばし回路に供給して正常動作を促すバックアップ電源回路を有する
ことを特徴とする請求項１２に記載の自動通報装置。
【請求項２５】
前記バックアップ電源回路は、
ガス漏れ警報器からの有電圧信号を電源として前記所定の電力を蓄積するための第５抵抗素子及び第２コンデンサーと、
前記第２コンパレータに入力される信号の信号レベルが最大動作電圧を越えないようにするリミッタとしての第４ツェナーダイオードを有する
ことを特徴とする請求項２４に記載の自動通報装置。
【請求項２６】
入力インタフェース装置は、前記ガス漏れ警報器からの前記有電圧信号の信号レベルが所定時間以上警報レベルを維持した場合に前記ガス弁遮断信号を出力して前記マイコンメータに対して供給ガス遮断制御を実行し、前記ガス漏れ警報器からの前記有電圧信号が伝送される前記信号入力線に接続された前記外部スイッチからの前記スイッチ信号を検知し当該スイッチ信号を前記所定時間幅の前記無電圧ＯＮ信号に変換し前記無電圧入力回路に出力するように構成されている
ことを特徴とする請求項１２乃至２５のいずれか一項に記載の自動通報装置。。
【請求項２７】
入力インタフェース装置は、前記ガス漏れ警報器からの前記有電圧信号の信号レベルが所定時間以上警報レベルを維持した場合に前記無電圧ＯＮ信号を出力して前記マイコンメータに対して供給ガス遮断制御を実行し、前記ガス漏れ警報器からの前記有電圧信号が伝送される前記信号入力線に接続された前記外部スイッチからの前記スイッチ信号を検知し当該スイッチ信号を前記所定時間幅の前記無電圧ＯＮ信号に変換し前記無電圧入力回路に出力するように構成されている
ことを特徴とする請求項１２乃至２５のいずれか一項に記載の自動通報装置。。
【発明の詳細な説明】
【０００１】
【発明の属する技術分野】
本発明は、有電圧信号と無電圧信号と共通の信号入力線を介して受信するインタフェースに関し、特に、信号入力線と入力を共有して有電圧信号を受信する有電圧入力回路及び信号入力線と入力を共有して無電圧信号を受信する無電圧入力回路を有しこれらの有電圧信号や無電圧信号の受信に応じて所定の通報動作を行う自動通報装置において、信号入力線と有電圧入力回路の入力端との間、及び信号入力線と無電圧入力回路の入力端との間に設けられ、信号入力線を共通にして送られてくる有電圧信号または無電圧信号を受け取って自動通報装置に受け渡すインタフェースに関する。
【０００２】
また本発明は、ガス漏れ警報器が生成する有電圧信号やスイッチが生成する無電圧信号の受信に応じて所定の通報動作を行う、本発明の入力インタフェースを用いた自動通報装置に関する。
【０００３】
【従来の技術】
図７（ａ）は、従来の自動通報装置を説明するための機能ブロック図である。
【０００４】
従来この種の入力インタフェース装置及び自動通報装置としては、例えば、図７（ａ）に示すようなものがある。
【０００５】
図７（ａ）に示す自動通報装置９は、有電圧信号と無電圧信号と共通の信号入力線を介して受信するインタフェースとして、この信号入力線と入力を共有してガス漏れ警報器６が生成する有電圧信号を受信する有電圧入力回路２とこの信号入力線と入力を共有して無電圧信号を受信する無電圧入力回路４を有し、これらの有電圧信号や無電圧信号の受信に応じて、ガス供給路１Ａ内のガスの流れを遮断するためにガス供給路１Ａに介設されているガス遮断弁１Ｂの遮断制御をマイコンメータ１に命じるような構成を有していた。
【０００６】
一方、以上の装置構成に対して、外部スイッチが押されたことも自動通報装置９に通報したいといったニーズが発生する場合がある。
【０００７】
図７（ｂ）は、図７（ａ）の自動通報装置９において、外部スイッチを付加する場合の接続構成を説明するための機能ブロック図である。
【０００８】
すなわち、図７（ａ）の自動通報装置９において、ガス漏れ警報器６が生成する有電圧信号の受信に応じて所定の通報動作を行う機能に加えて、外部スイッチ８が生成する無電圧信号の受信に応じて所定の通報動作を行う機能を設ける場合、外部スイッチ８における工事費を安価にあげまた家屋の壁に穿孔する工事穴をできるだけ大きくしたくない（できれば工事穴を開けたくない）等の理由から、図７（ａ）に示した既存のガス漏れ警報器６と自動通報装置９との装置構成における既設の信号入力線に更に、図７（ｂ）に示すように、外部スイッチ８がガス漏れ警報器６と並列に結線され、同時に既設の信号入力線が無電圧入力回路４の入力段に結線される接続形態が用いられていた。
【０００９】
ここで、有電圧特性を有するガス漏れ警報器６は、具体的には、正常時には６Ｖの電位を有電圧信号として常時生成し、ガス漏れ警報器６のコンセント抜け時や停電時等の原因がガス漏れ警報器６に対して発生した場合に零電位（具体的には、接地電位）を有電圧信号として生成し、ガス漏れを検知した時には１２Ｖの電位を有電圧信号として生成する機能を有している。
【００１０】
この様な外部スイッチ８に対する接続形態を用いることにより、工事費を安価にあげ且つ家屋の壁へ工事穴を穿孔することなく、外部スイッチ８が押下されたことを自動通報装置９に通報できるようになるといった効果を奏していた。
【００１１】
また、従来の自動通報装置９では、外部スイッチ８が押下された際に外部スイッチ８の接点が確実に閉じられてスイッチ信号が生成されたか否かを押下時点で確認するための発光回路が設けられることがあった。
【００１２】
図９は、図８の自動通報装置における発光回路の基本回路構成を説明するための回路図である。図９に示す発光回路７は、外部スイッチ８と並列に信号入力線間に接続された直流電源（具体的には、バッテリーＢａｔｔ）と発光素子（具体的には、ＬＥＤ）を中心にして構成されていた。また発光素子ＬＥＤには直列にダイオードが接続されていた。
【００１３】
外部スイッチ８が押下されると、バッテリーＢａｔｔ−発光素子ＬＥＤ−閉状態の外部スイッチ８とで閉ループが形成される結果、外部スイッチ８の押下時点で発光素子ＬＥＤが発光していた。
【００１４】
【発明が解決しようとする課題】
しかしながら、図７（ｂ）に示すような従来の自動通報装置９では、自動通報装置９内の有電圧入力回路２と無電圧入力回路４とが互いに干渉して誤通報してしまう可能性があるといった問題点があった。
【００１５】
以下に、自動通報装置９内の有電圧入力回路２と無電圧入力回路４との干渉動作、及びこれに起因する誤通報を説明する。
【００１６】
図８は、図７の自動通報装置９の内部回路の基本回路構成を説明するための回路図である。
【００１７】
ガス漏れ警報器６において正常時の有電圧信号電位として６Ｖが有電圧入力回路２に印加された場合、ツェナーダイオードＺＤ１（ツェナー電圧２Ｖ）が導通状態となり、これに応じてｎｐｎトランジスタＱ１が活性化される。
【００１８】
また、自動通報装置９は、コンセント抜けや停電が発生して有電圧信号電位が零Ｖに低下した場合であって、ｎｐｎトランジスタＱ１が不活性化され、この不活性化状態が２４時間以上継続されたときに、ガス漏れ警報器６内のＣＰＵがコンセントが外されたとして（すなわち、コンセント抜けが発生したと判定して）通報動作を実行する。これにより、停電とコンセント抜けとを区別することができる。
【００１９】
また、ガス漏れ警報器６においてガス検知時の有電圧信号電位として１２Ｖが有電圧入力回路２に印加された場合、ツェナーダイオードＺＤ２（ツェナー電圧９Ｖ）が導通状態となり、これに応じてｎｐｎトランジスタＱ２が活性化される。この活性化状態が１分以上継続された場合にＣＰＵがガス漏れが発生したと判定してガス漏れ通報を実行する。
【００２０】
一方、無電圧入力回路４は、外部スイッチ８の押下等に起因して入力段が短絡された場合、このときの短絡電流がｐｎｐトランジスタＱ３のベースから外部スイッチに流出し、この短絡電流によりｐｎｐトランジスタＱ３が活性化される。ＣＰＵはこのときのｐｎｐトランジスタＱ３のコレクタの電位を検出することにより、外部スイッチ８の押下等の通報動作を実行する。
【００２１】
しかしながら、信号入力線を共有して有電圧入力回路２の入力段と無電圧入力回路４の入力段とが接続されているため、無電圧入力回路４の入力段（ｐｎｐトランジスタＱ３のベース）からツェナーダイオードＺＤ１を通じて有電圧入力回路２に短絡電流が流れ込むといった干渉動作が発生することになる。このような干渉動作の発生の結果、ＣＰＵは、無電圧信号が入力されたと誤って判断してしまい通報動作を実行してしまうといった誤通報が発生してしまう。
【００２２】
また、ガス漏れ警報器６のコンセントが抜かれていても、同様にツェナーダイオードＺＤ１が導通状態となってしまうといった干渉動作が発生することになる。このような干渉動作の発生の結果、ｎｐｎトランジスタＱ１が活性化されてしまい、コンセント抜けが通報されないといった誤通報が発生してしまう。
【００２３】
この様に、ガス漏れ警報器６からの有電圧信号の有電圧が無電圧入力回路４に印加されるといった干渉動作が発生する結果、誤通報が発生する可能性があるという問題点があり、更には自動通報装置９自体の破壊が発生する可能性があるという問題点もあった。
【００２４】
また、図９に示す発光回路７は、バッテリーＢａｔｔを用意する必要が有り、更に、バッテリーＢａｔｔの交換作業を必要とするといった問題点もあった。
【００２５】
本発明は、このような従来の問題点を解決することを課題としており、第１に、信号入力線を介してスイッチ信号を検知すると共にスイッチ信号が検知されたときにスイッチ信号の検知に同期して回路遮断信号を生成する信号入力線状態判定回路と、回路遮断信号を無電圧入力回路に伝達して外部スイッチの押下の通報を指示しかつ回路遮断信号に同期して外部スイッチの短絡状態を介して無電圧入力回路の入力端から有電圧入力回路の入力端への電流の流れ込みを遮断するスイッチング制御を実行するスイッチング回路と、所定電位以上の有電圧信号を検出した場合に有電圧信号を検出したタイミングから所定時間だけ遅延した状態でマイコンメータにガス弁遮断信号を出力する変換回路と、信号入力線状態判定回路からの回路遮断信号を受信して所定の時間幅を有する無電圧ＯＮ信号に信号変換すると共に無電圧ＯＮ信号を無電圧入力回路に伝達する無電圧信号引き延ばし回路と、ガス漏れ警報器からの有電圧信号を電源として所定の電力を蓄積すると共に外部スイッチが活性化されたときまたは停電時にガス漏れ警報器から有電圧信号が零電位になった場合に、蓄積電力を信号入力線状態判定回路及び無電圧信号引き延ばし回路に供給して正常動作を促すバックアップ電源回路とを有する入力インタフェース装置を設けることにより、工事費を安価にあげ且つ家屋の壁へ工事穴を穿孔することなく外部スイッチが押下されたことを既設の信号入力線を介して自動通報装置に通報でき、ガス漏れ警報器からの有電圧信号の有電圧が無電圧入力回路に印加されることが回避でき、自動通報装置内の有電圧入力回路と無電圧入力回路とが互いに干渉して誤通報してしまう可能性を回避でき、更に自動通報装置自体が破壊してしまう可能性を回避できる入力インタフェース装置を実現することを課題としている。
【００２６】
また、外部スイッチの出力端と所定の異常状態を検知した場合に有電圧信号を生成する有電圧警報器の出力端とが信号入力線に並列に接続され信号入力線と入力を共有して有電圧信号を受信する有電圧入力回路と、信号入力線と入力を共有して無電圧信号を受信する無電圧入力回路と、外部スイッチの出力端と有電圧警報器の出力端とが信号入力線を介して入力側に接続され有電圧入力回路の入力端と無電圧入力回路の入力端とが出力端に各々接続されている前述の入力インタフェース装置とを設けることにより、工事費を安価にあげ且つ家屋の壁へ工事穴を穿孔することなく外部スイッチ８が押下されたことを既設の信号入力線を介して自動通報装置に通報でき、ガス漏れ警報器からの有電圧信号の有電圧が無電圧入力回路に印加されることが回避でき、自動通報装置内の有電圧入力回路と無電圧入力回路とが互いに干渉して誤通報してしまう可能性を回避でき、更に自動通報装置自体が破壊してしまう可能性を回避できる自動通報装置を実現することを課題としている。
【００２７】
第２に、所定電圧の入力信号に応じて導通状態となる第２ツェナーダイオードと、第２ツェナーダイオードの導通状態に応じて活性化される第４トランジスタと、第４トランジスタの活性化に応じて活性化されて変換回路及び有電圧入力回路にガス漏れ警報器からの有電圧信号を供給する第３トランジスタを備えた発光回路を設けることにより、バッテリーを用意する必要がないのでバッテリーの交換作業を必要とせず、外部スイッチ８が押下された際に外部スイッチの接点が確実に閉じられてスイッチ信号が生成されたか否かを押下時点で確認できる自動通報装置を実現することを課題としている。
【００２８】
【課題を解決するための手段】
請求項１に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
前記信号入力線１５を介して前記スイッチ信号１８ａを検知すると共に、当該スイッチ信号１８ａが検知されたときに当該スイッチ信号１８ａの検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ前記回路遮断信号２１ａの前記有電圧入力回路１２への印加を遮断するスイッチング制御を実行するスイッチング回路２１を有する
ことを特徴とする入力インタフェース装置２０である。
【００２９】
請求項１に記載の発明によれば、回路遮断信号２１ａの有電圧入力回路１２への印加を遮断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の押下が原因で自動通報装置１０自体が破壊してしまう可能性を回避できる入力インタフェース装置２０を実現できるようになるといった効果を奏する。
【００３０】
なお、本請求項における有電圧警報器１６とは、有電圧特性を有する警報器であって、具体的には、正常時には６Ｖの電位を有電圧信号１６ａとして常時生成し、警報器のコンセント抜け時や停電時等の原因が警報器に対して発生した場合に零電位（具体的には、接地電位）を有電圧信号１６ａとして生成し、異常を検知した時には１２Ｖの電位を有電圧信号１６ａとして生成する機能を有するデバイスを意味する。
【００３１】
請求項２に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
前記信号入力線１５を介して前記スイッチ信号１８ａを検知すると共に、当該スイッチ信号１８ａが検知されたときに当該スイッチ信号１８ａの検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ当該回路遮断信号２１ａに同期して前記外部スイッチ１８の短絡状態を介して前記無電圧入力回路１４の入力端から前記有電圧入力回路１２の入力端への電流の流れ込みを遮断するスイッチング制御を実行するスイッチング回路２１を有する
ことを特徴とする入力インタフェース装置２０である。
【００３２】
請求項２に記載の発明によれば、有電圧入力回路１２の入力端への電流の流れ込みを遮断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００３３】
請求項３に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
前記スイッチ信号１８ａに応じて前記信号入力線１５が短絡されたことを検知すると共に、当該信号入力線１５の短絡状態が検知されたときに当該信号入力線１５の短絡状態の検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ当該回路遮断信号２１ａに同期して前記無電圧入力回路１４から前記有電圧入力回路１２を電気的に切断するスイッチング制御を実行するスイッチング回路２１を有する
ことを特徴とする入力インタフェース装置２０である。
【００３４】
請求項３に記載の発明によれば、信号入力線１５の短絡状態の検知に同期して回路遮断信号２１ａを生成し、回路遮断信号２１ａに同期して無電圧入力回路１４から有電圧入力回路１２を電気的に切断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００３５】
請求項４に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
前記スイッチ信号１８ａに応じて前記信号入力線１５が短絡されたことを検知すると共に、当該信号入力線１５の短絡状態が検知されたときに当該信号入力線１５の短絡状態の検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ当該回路遮断信号２１ａに同期して前記外部スイッチ１８の短絡状態を介して前記無電圧入力回路１４の入力端から前記有電圧入力回路１２の入力端への電流の流れ込みを遮断するスイッチング制御を実行するスイッチング回路２１を有する
ことを特徴とする入力インタフェース装置２０である。
【００３６】
請求項４に記載の発明によれば、信号入力線１５の短絡状態の検知に同期して回路遮断信号２１ａを生成し、回路遮断信号２１ａに同期して無電圧入力回路１４の入力端から有電圧入力回路１２の入力端への電流の流れ込みを遮断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００３７】
請求項５に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
停電時の前記信号入力線１５の停電時電位Ｖ１を検知すると共に、当該停電時電位Ｖ１が検知されたときに当該停電時電位Ｖ１の検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ前記回路遮断信号２１ａの前記有電圧入力回路１２への印加を遮断するスイッチング回路２１を有する
ことを特徴とする入力インタフェース装置２０である。
【００３８】
請求項５に記載の発明によれば、停電時電位Ｖ１の検知に同期して回路遮断信号２１ａを生成し、回路遮断信号２１ａに同期して回路遮断信号２１ａの有電圧入力回路１２への印加を遮断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００３９】
請求項６に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
停電時の前記信号入力線１５の電位を検知すると共に、当該停電時電位Ｖ１が検知されたときに当該停電時電位Ｖ１の検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ当該回路遮断信号２１ａに同期して前記外部スイッチ１８の短絡状態を介して前記無電圧入力回路１４の入力端から前記有電圧入力回路１２の入力端への電流の流れ込みを遮断するスイッチング制御を実行するスイッチング回路２１を有する
ことを特徴とする入力インタフェース装置２０である。
【００４０】
請求項６に記載の発明によれば、停電時電位Ｖ１の検知に同期して回路遮断信号２１ａを生成し、回路遮断信号２１ａに同期して外部スイッチ１８の短絡状態を介して無電圧入力回路１４の入力端から有電圧入力回路１２の入力端への電流の流れ込みを遮断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００４１】
請求項７に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
前記停電時電位Ｖ１に応じて前記信号入力線１５が短絡されたことを検知すると共に、当該信号入力線１５の短絡状態が検知されたときに当該信号入力線１５の短絡状態の検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ当該回路遮断信号２１ａに同期して前記無電圧入力回路１４から前記有電圧入力回路１２を電気的に切断するスイッチング制御を実行するスイッチング回路２１を有する
ことを特徴とする入力インタフェース装置２０である。
【００４２】
請求項７に記載の発明によれば、信号入力線１５の短絡状態の検知に同期して回路遮断信号２１ａを生成し、回路遮断信号２１ａに同期して無電圧入力回路１４から有電圧入力回路１２を電気的に切断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００４３】
請求項８に記載の発明は、
外部スイッチ１８が押下された時に生成されるスイッチ信号１８ａを送信する信号入力線１５と入力を共有して有電圧信号１６ａを受信する有電圧入力回路１２及び当該信号入力線１５と入力を共有して無電圧信号１６ｂを受信する無電圧入力回路１４と前記信号入力線１５との間に介在し、
前記停電時電位Ｖ１に応じて前記信号入力線１５が短絡されたことを検知すると共に、当該信号入力線１５の短絡状態が検知されたときに当該信号入力線１５の短絡状態の検知に同期して回路遮断信号２１ａを生成する信号入力線状態判定回路２４と、
前記回路遮断信号２１ａを前記無電圧入力回路１４に伝達して外部スイッチ１８の押下の通報を指示し、かつ当該回路遮断信号２１ａに同期して前記外部スイッチ１８の短絡状態を介して前記無電圧入力回路１４の入力端から前記有電圧入力回路１２の入力端への電流の流れ込みを遮断するスイッチング制御を実行するスイッチング回路２１を有する
ことを特徴とする入力インタフェース装置２０である。
【００４４】
請求項８に記載の発明によれば、信号入力線１５の短絡状態の検知に同期して回路遮断信号２１ａを生成し、回路遮断信号２１ａに同期して外部スイッチ１８の短絡状態を介して無電圧入力回路１４の入力端から有電圧入力回路１２の入力端への電流の流れ込みを遮断するスイッチング制御を実行することにより、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００４５】
請求項９に記載の発明は、請求項１乃至８のいずれか一項に記載の入力インタフェース装置２０を用いた自動通報装置１０において、
前記外部スイッチ１８の出力端と所定の異常状態を検知した場合に前記有電圧信号１６ａを生成する有電圧警報器１６の出力端とが前記信号入力線１５に並列に接続され、
前記信号入力線１５と入力を共有して前記有電圧信号１６ａを受信する前記有電圧入力回路１２と、
信号入力線１５と入力を共有して前記無電圧信号１６ｂを受信する前記無電圧入力回路１４と、
前記外部スイッチ１８の出力端と前記有電圧警報器１６の出力端とが前記信号入力線１５を介して入力側に接続され、前記有電圧入力回路１２の入力端と前記無電圧入力回路１４の入力端とが出力端に各々接続されている前記入力インタフェース装置２０を有する
ことを特徴とする自動通報装置１０である。
【００４６】
請求項９に記載の発明によれば、請求項１乃至８のいずれか一項に記載の効果に加えて、前述のスイッチング制御を実行する入力インタフェース装置２０を有電圧警報器１６と有電圧入力回路１２との間、及び有電圧警報器１６と無電圧入力回路１４との間に設けることにより、信号入力線１５を共有化した外部スイッチ１８を設けた場合であっても、有電圧警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００４７】
請求項１０に記載の発明は、請求項９に記載の自動通報装置１０において、
前記有電圧警報器１６は、ガス濃度の検知及びコンセント抜けに応じた前記有電圧信号１６ａを生成するガス漏れ警報器１６である、
ことを特徴とする自動通報装置１０である。
【００４８】
なお、本請求項におけるガス漏れ警報器１６とは、有電圧特性を有するガス漏れ警報器１６は、具体的には、正常時には６Ｖの電位を有電圧信号１６ａとして常時生成し、ガス漏れ警報器１６のコンセント抜け時や停電時等の原因がガス漏れ警報器１６に対して発生した場合に零電位（具体的には、接地電位）を有電圧信号１６ａとして生成し、ガス漏れを検知した時には１２Ｖの電位を有電圧信号１６ａとして生成する機能を有するセンサデバイスを意味する。
【００４９】
請求項１０に記載の発明によれば、請求項９に記載の効果に加えて、前述のスイッチング制御を実行する入力インタフェース装置２０をガス漏れ警報器１６と有電圧入力回路１２との間、及びガス漏れ警報器１６と無電圧入力回路１４との間に設けることにより、信号入力線１５を共有化した外部スイッチ１８を設けた場合であっても、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００５０】
請求項１１に記載の発明は、請求項１０に記載の自動通報装置１０において、ガス使用量を計数しガスの供給及び遮断を制御するマイコンメータ１１を供え、
前記有電圧入力回路１２と前記無電圧入力回路１４とマイコンメータ１１とが前記入力インタフェース装置２０の出力端に各々接続されている
ことを特徴とする自動通報装置１０である。
【００５１】
請求項１１に記載の発明によれば、請求項１０に記載の効果に加えて、前述のスイッチング制御を実行する入力インタフェース装置２０をガス漏れ警報器１６と有電圧入力回路１２との間、及びガス漏れ警報器１６と無電圧入力回路１４との間に設けることにより、信号入力線１５を共有化した外部スイッチ１８を設けた場合であっても、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉してマイコンメータ１１に誤通報してしまう可能性を回避でき、外部スイッチ１８が押下されたことを既設の信号入力線１５を介して自動通報装置１０やマイコンメータ１１に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、外部スイッチ１８と信号入力線１５を共有化した場合であっても、外部スイッチ１８の短絡状態が原因で自動通報装置１０やマイコンメータ１１が破壊してしまう可能性を回避できる入力インタフェース装置２０を実現できるようになるといった効果を奏する。
【００５２】
請求項１２に記載の発明は、請求項９乃至１１のいずれか一項に記載の自動通報装置１０において、
前記入力インタフェース装置２０は、
所定電位以上の有電圧信号１６ａを検出した場合に前記マイコンメータ１１にガス弁遮断信号２２ａを出力する変換回路２２を有し、
前記マイコンメータ１１は、当該ガス弁遮断信号２２ａの受信に応じてガス供給路１１Ａに設けられたガス遮断弁１１Ｂを閉制御して供給ガスの遮断制御を実行するように構成されている
ことを特徴とする自動通報装置１０である。
【００５３】
請求項１２に記載の発明によれば、請求項９乃至１１のいずれか一項に記載の効果に加えて、供給ガスの遮断制御を実行する入力インタフェース装置２０をガス漏れ警報器１６と有電圧入力回路１２との間、及びガス漏れ警報器１６と無電圧入力回路１４との間に設けることにより、信号入力線１５を共有化した外部スイッチ１８を設けた場合であっても、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉してマイコンメータ１１に誤った遮断制御を命令する可能性を回避でき、外部スイッチ１８が押下されたことを既設の信号入力線１５を介して自動通報装置１０やマイコンメータ１１に通報できる入力インタフェース装置２０を有する自動通報装置１０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、外部スイッチ１８と信号入力線１５を共有化した場合であっても、外部スイッチ１８の短絡状態が原因で自動通報装置１０やマイコンメータ１１が破壊してしまう可能性を回避できる入力インタフェース装置２０を実現できるようになるといった効果を奏する。
【００５４】
請求項１３に記載の発明は、請求項１２に記載の自動通報装置１０において、
前記変換回路２２は、
所定電位以上の有電圧信号１６ａを検出した場合に、当該有電圧信号１６ａを検出したタイミングから所定時間だけ遅延した状態で前記マイコンメータ１１にガス弁遮断信号２２ａを出力するように構成されている
ことを特徴とする自動通報装置１０である。
【００５５】
請求項１３に記載の発明によれば、請求項１２に記載の効果に加えて、この様な無電圧信号引き延ばし回路２５を設けて遅延処理をガス弁遮断信号２２ａを生成することにより、自動通報装置１０への無電圧ＯＮ信号２５ａの継続時間を十分確保し同時に無電圧ＯＮ信号２５ａの信号時間幅のジッタを低減し、自動通報装置１０が動作するのに十分な信号時間幅を確保できるようになるといった効果を奏する。特に、人が押すケースが多い外部スイッチ１８であっても、押下時間の個人差に起因する無電圧ＯＮ信号２５ａの信号時間幅のジッタを吸収して常に一定時間幅を有し且つ自動通報装置１０が動作するのに十分な信号時間幅を確保できるようになる。その結果、マイコンメータ１１は確度の高い遮断制御を命令できるようになり、入力インタフェース装置２０は外部スイッチ１８が押下されたことを既設の信号入力線１５を介して自動通報装置１０やマイコンメータ１１に高い精度で通報できるようになるといった効果を奏する。
【００５６】
請求項１４に記載の発明は、請求項１３に記載の自動通報装置１０において、
前記変換回路２２は、
所定電位以上の前記有電圧信号１６ａを検出した場合に導通状態となる第１ツェナーダイオードＺＤ１と、
前記第１ツェナーダイオードＺＤ１の導通状態に応じて活性化される第１トランジスタＴｒ１と、
前記第１トランジスタＴｒ１の活性化に応じて不活性化される第２トランジスタＴｒ２と、
前記第２トランジスタＴｒ２の不活性化に応じて充電電圧を生成する第１抵抗素子Ｒ１及び第１コンデンサーＣ１とで構成された充電回路と、
前記充電回路の充電電圧と所定の閾値電圧との比較を行い、当該充電電圧が当該閾値電圧を越えた際に前記ガス弁遮断信号２２ａを生成する第１コンパレータＩＣ１と、
前記入力インタフェース装置２０と前記マイコンメータ１１とを電気的に絶縁すると共に、前記ガス弁遮断信号２２ａを光信号に光電変換して前記マイコンメータ１１に伝達する第１フォトカップラＰＨ１を有する
ことを特徴とする自動通報装置１０である。
【００５７】
請求項１４に記載の発明によれば、請求項１３に記載の効果と同様の効果を奏する。
【００５８】
請求項１５に記載の発明は、請求項１２に記載の自動通報装置１０において、前記スイッチング回路２１は、前記外部スイッチ１８が活性化された際の前記有電圧信号１６ａの信号状態または停電時の前記有電圧信号１６ａの信号状態に応じて、前記有電圧入力回路１２及び前記変換回路２２を前記信号入力線状態判定回路２４から電気的に切断して当該信号入力線状態判定回路２４から前記有電圧入力回路１２または前記変換回路２２への電流の流れ込みを遮断して前記スイッチング制御を実行するように構成されている
ことを特徴とする自動通報装置１０である。
【００５９】
請求項１５に記載の発明によれば、請求項１２に記載の効果に加えて、有電圧信号１６ａの信号状態または停電時の有電圧信号１６ａの信号状態に応じて有電圧入力回路１２及び変換回路２２を信号入力線状態判定回路２４から電気的に切断して信号入力線状態判定回路２４から有電圧入力回路１２または変換回路２２への電流の流れ込みを遮断するようなスイッチング制御を実行することにより、信号入力線状態判定回路２４からの有電圧信号１６ａの有電圧が無電圧入力回路１４に印加されることが回避できるようになり、その結果、信号入力線状態判定回路２４を介して自動通報装置１０内の有電圧入力回路１２と無電圧入力回路１４とが互いに干渉して誤通報してしまう可能性を回避でき、外部スイッチ１８が押下されたことを既設の信号入力線１５を介して自動通報装置１０に通報できる入力インタフェース装置２０を工事費を安価にでき且つ家屋の壁へ工事穴を穿孔することなく実現できるようになる。更に、この様な入力インタフェース装置２０を有電圧警報器１６と有電圧入力回路１２との間、及び有電圧警報器１６と無電圧入力回路１４との間に設けることにより、外部スイッチ１８と信号入力線１５を共有化した場合であっても、外部スイッチ１８の短絡状態が原因で自動通報装置１０自体が破壊してしまう可能性を回避できる入力インタフェース装置２０を実現できるようになるといった効果を奏する。
【００６０】
請求項１６に記載の発明は、請求項１５に記載の自動通報装置１０において、前記スイッチング回路２１は、所定電圧の入力信号に応じて導通状態となる第２ツェナーダイオードＺＤ２と、前記第２ツェナーダイオードＺＤ２の導通状態に応じて活性化される第４トランジスタＴｒ４と、前記第４トランジスタＴｒ４の活性化に応じて活性化されて前記変換回路２２及び前記有電圧入力回路１２に前記ガス漏れ警報器１６からの前記有電圧信号１６ａを供給する第３トランジスタＴｒ３を有する
ことを特徴とする自動通報装置１０である。
【００６１】
請求項１６に記載の発明によれば、請求項１５に記載の効果と同様の効果を奏する。
【００６２】
請求項１７に記載の発明は、請求項１５または１６に記載の自動通報装置１０において、
前記外部スイッチ１８が活性化された際に前記ガス漏れ警報器１６からの電力によって発光するように接続された発光素子ＬＥＤを備えた発光回路３０を有する
ことを特徴とする自動通報装置１０である。
【００６３】
請求項１７に記載の発明によれば、請求項１５または１６に記載の効果に加えて、ガス漏れ警報器１６から供給される電力を用いて発光素子ＬＥＤの発光動作を行うので、新たにバッテリーを用意する必要がなく、またバッテリーの交換作業を必要とせず、外部スイッチ１８８が押下された際に外部スイッチ１８の接点が確実に閉じられてスイッチ信号１８ａが生成されたか否かを押下時点で確認できる自動通報装置１０を実現できるようになるといった効果を奏する。
【００６４】
請求項１８に記載の発明は、請求項１５または１６に記載の自動通報装置１０において、
前記発光回路３０は、
停電時に発光するように接続された発光素子ＬＥＤを有する
ことを特徴とする自動通報装置１０である。
【００６５】
請求項１８に記載の発明によれば、請求項１５または１６に記載の効果と同様の効果を奏する。
【００６６】
請求項１９に記載の発明は、請求項１７または１８に記載の自動通報装置１０において、
前記スイッチング回路２１は、
平常時にガス漏れ警報器１６から出力されている定常電位に順方向接続された第１ダイオードＤ１と、前記第１ダイオードＤ１のカソードに接続された第７抵抗素子Ｒ７と、前記第１ダイオードＤ１及び前記第７抵抗素子Ｒ７を介して充電される第４コンデンサーＣ４を有し、
前記発光素子ＬＥＤは、前記外部スイッチ１８の活性化時または前記停電時に前記第４コンデンサーＣ４の蓄積電荷の放電電流を用いて発光するように当該放電電流に対して順方向（すなわち、アノードからカソードに向かう方向）に接続されている
ことを特徴とする自動通報装置１０である。
【００６７】
請求項１９に記載の発明によれば、請求項１７または１８に記載の効果に加えて、ガス漏れ警報器１６から供給される電力を第４コンデンサーＣ４に蓄積し、第４コンデンサーＣ４に蓄積された電荷を用いて発光素子ＬＥＤの発光動作を行うので、新たにバッテリーを用意する必要がなく、またバッテリーの交換作業を必要とせず、外部スイッチ１８８が押下された際に外部スイッチ１８の接点が確実に閉じられてスイッチ信号１８ａが生成されたか否かを押下時点で確認できる自動通報装置１０を実現できるようになるといった効果を奏する。
【００６８】
請求項２０に記載の発明は、請求項１９に記載の自動通報装置１０において、
前記スイッチング回路２１は、
前記外部スイッチ１８が活性化された際にまたは停電時に前記放電電流を前記発光素子ＬＥＤに供給するために当該発光素子ＬＥＤに対して順方向（すなわち、アノードからカソードに向かう方向）に接続された第１ダイオードＤ１及び第８抵抗素子Ｒ８を有する
ことを特徴とする自動通報装置１０である。
【００６９】
請求項２０に記載の発明によれば、請求項１９に記載の効果に加えて、ガス漏れ警報器１６から供給される電力を第１ダイオードＤ１及び第８抵抗素子Ｒ８を介して第４コンデンサーＣ４に蓄積し、第４コンデンサーＣ４に蓄積された電荷を用いて発光素子ＬＥＤの発光動作を行うので、新たにバッテリーを用意する必要がなく、またバッテリーの交換作業を必要とせず、外部スイッチ１８８が押下された際に外部スイッチ１８の接点が確実に閉じられてスイッチ信号１８ａが生成されたか否かを押下時点で確認できる自動通報装置１０を実現できるようになるといった効果を奏する。
【００７０】
請求項２１に記載の発明は、請求項１２に記載の自動通報装置１０において、
前記信号入力線状態判定回路２４は、
前記外部スイッチ１８が活性化され押され、入力電圧が所定電圧以下になったときに導通状態となる第３ツェナーダイオードＺＤ３と、
前記第３ツェナーダイオードＺＤ３の導通状態に応じて活性化されて前記回路遮断信号２１ａを生成する第５トランジスタＴｒ５を有し、
前記第５トランジスタＴｒ５のベース電流が前記第３ツェナーダイオードＺＤ３を介して前記外部スイッチ１８に流れ込むように構成されている
ことを特徴とする自動通報装置１０である。
【００７１】
請求項２１に記載の発明によれば、請求項１２に記載の効果と同様の効果を奏する。
【００７２】
請求項２２に記載の発明は、請求項１２に記載の自動通報装置１０において、
前記入力インタフェース装置２０は、
前記信号入力線状態判定回路２４からの前記回路遮断信号２１ａを受信して所定の時間幅を有する無電圧ＯＮ信号２５ａに信号変換すると共に、当該無電圧ＯＮ信号２５ａを前記無電圧入力回路１４に伝達する無電圧信号引き延ばし回路２５を有する
ことを特徴とする自動通報装置１０である。
【００７３】
請求項２２に記載の発明によれば、請求項１２に記載の効果に加えて、この様な無電圧信号引き延ばし回路２５を設けて所定の時間幅を有するガス弁遮断信号２２ａを生成することにより、自動通報装置１０への無電圧ＯＮ信号２５ａの継続時間を十分確保し同時に無電圧ＯＮ信号２５ａの信号時間幅のジッタを低減し、自動通報装置１０が動作するのに十分な信号時間幅を確保できるようになるといった効果を奏する。特に、人が押すケースが多い外部スイッチ１８であっても、押下時間の個人差に起因する無電圧ＯＮ信号２５ａの信号時間幅のジッタを吸収して常に一定時間幅を有し且つ自動通報装置１０が動作するのに十分な信号時間幅を確保できるようになる。その結果、マイコンメータ１１は確度の高い遮断制御を命令できるようになり、入力インタフェース装置２０は外部スイッチ１８が押下されたことを既設の信号入力線１５を介して自動通報装置１０やマイコンメータ１１に高い精度で通報できるようになるといった効果を奏する。
【００７４】
請求項２３に記載の発明は、請求項２２に記載の自動通報装置１０において、
前記無電圧信号引き延ばし回路２５は、
所定の時間幅を決定するための第６抵抗素子Ｒ６及び第３コンデンサーＣ３を有する時定数回路と、
前記信号入力線状態判定回路２４からの前記回路遮断信号２１ａと所定の閾値電圧との比較を行い、当該回路遮断信号２１ａが当該閾値電圧を越えた際に前記所定の時間幅だけ活性化される第２コンパレータＩＣ２と、
前記入力インタフェース装置２０と前記無電圧入力回路１４とを電気的に絶縁すると共に、前記第２コンパレータＩＣ２の活性化に応じて前記所定の時間幅だけ活性化され前記無電圧ＯＮ信号２５ａを光信号に光電変換して前記無電圧入力回路１４に伝達する第２フォトカップラＰＨ２を有する
ことを特徴とする自動通報装置１０である。
【００７５】
請求項２３に記載の発明によれば、請求項２２に記載の効果に加えて、この様な時定数回路と第２コンパレータＩＣ２とを設けて所定の時間幅の基準値を生成することにより、自動通報装置１０への無電圧ＯＮ信号２５ａの継続時間を十分確保し同時に無電圧ＯＮ信号２５ａの信号時間幅のジッタを低減し、自動通報装置１０が動作するのに十分な信号時間幅を確保できるようになるといった効果を奏する。特に、人が押すケースが多い外部スイッチ１８であっても、押下時間の個人差に起因する無電圧ＯＮ信号２５ａの信号時間幅のジッタを吸収して常に一定時間幅を有し且つ自動通報装置１０が動作するのに十分な信号時間幅を確保できるようになる。その結果、マイコンメータ１１は確度の高い遮断制御を命令できるようになり、入力インタフェース装置２０は外部スイッチ１８が押下されたことを既設の信号入力線１５を介して自動通報装置１０やマイコンメータ１１に高い精度で通報できるようになるといった効果を奏する。また第２フォトカップラＰＨ２を設けることにより、無電圧入力回路１４と入力インタフェース装置２０間の電気的絶縁を保つことができるようになる。
【００７６】
請求項２４に記載の発明は、請求項１２に記載の自動通報装置１０において、
前記入力インタフェース装置２０は、
前記ガス漏れ警報器１６からの前記有電圧信号１６ａを電源として所定の電力を蓄積すると共に、前記外部スイッチ１８が活性化されたときまたは停電時に前記ガス漏れ警報器１６から前記有電圧信号１６ａが零電位になった場合に、当該蓄積電力を前記信号入力線状態判定回路２４及び前記無電圧信号引き延ばし回路２５に供給して正常動作を促すバックアップ電源回路２３を有する
ことを特徴とする自動通報装置１０である。
【００７７】
請求項２４に記載の発明によれば、請求項１２に記載の効果に加えて、外部スイッチ１８の押下に応じて零電位になる有電圧信号１６ａを用いて信号入力線状態判定回路２４及び無電圧信号引き延ばし回路２５を正常動作させることができるようになるといった効果を奏する。
【００７８】
請求項２５に記載の発明は、請求項２４に記載の自動通報装置１０において、
前記バックアップ電源回路２３は、
ガス漏れ警報器１６からの有電圧信号１６ａを電源として前記所定の電力を蓄積するための第５抵抗素子Ｒ５及び第２コンデンサーＣ２と、
前記第２コンパレータＩＣ２に入力される信号の信号レベルが最大動作電圧を越えないようにするリミッタとしての第４ツェナーダイオードＺＤ４を有する
ことを特徴とする自動通報装置１０である。
【００７９】
請求項２５に記載の発明によれば、請求項２４に記載の効果に加えて、ガス漏れ警報器１６からの有電圧信号１６ａを電源として第５抵抗素子Ｒ５を通じて第２コンデンサーＣ２を充電することができるようになる。また警報時に第４ツェナーダイオードＺＤ４に１２Ｖが印加された場合に第２コンパレータＩＣ２ＩＣ２の最大動作電圧を越えないように第２コンデンサーＣ２の電位を一定にできるようになる。になるようにする。これにより、外部スイッチ１８の押下に応じて零電位になる有電圧信号１６ａを用いて信号入力線状態判定回路２４及び無電圧信号引き延ばし回路２５を正常動作させることができるようになるといった効果を奏する。
【００８０】
請求項２６に記載の発明は、請求項１２乃至２５のいずれか一項に記載の自動通報装置１０において、
入力インタフェース装置２０は、前記ガス漏れ警報器１６からの前記有電圧信号１６ａの信号レベルが所定時間以上警報レベルを維持した場合に前記ガス弁遮断信号２２ａを出力して前記マイコンメータ１１に対して供給ガス遮断制御を実行し、前記ガス漏れ警報器１６からの前記有電圧信号１６ａが伝送される前記信号入力線１５に接続された前記外部スイッチ１８からの前記スイッチ信号１８ａを検知し当該スイッチ信号１８ａを前記所定時間幅の前記無電圧ＯＮ信号２５ａに変換し前記無電圧入力回路１４に出力するように構成されている
ことを特徴とする自動通報装置１０である。
【００８１】
請求項２６に記載の発明によれば、請求項１２乃至２５のいずれか一項に記載の効果に加えて、既存の信号入力線１５を流用してスイッチ信号１８ａを送ることができ、新たに外部スイッチ１８専用の信号入力線１５を敷設する場合に比較して、工事費が安く、家の壁に新たな穴をあけるような傷を付ける工事が不要となる。
【００８２】
請求項２７に記載の発明は、請求項１２乃至２５のいずれか一項に記載の自動通報装置１０において、
入力インタフェース装置２０は、前記ガス漏れ警報器１６からの前記有電圧信号１６ａの信号レベルが所定時間以上警報レベルを維持した場合に前記無電圧ＯＮ信号２５ａを出力して前記マイコンメータ１１に対して供給ガス遮断制御を実行し、前記ガス漏れ警報器１６からの前記有電圧信号１６ａが伝送される前記信号入力線１５に接続された前記外部スイッチ１８からの前記スイッチ信号１８ａを検知し当該スイッチ信号１８ａを前記所定時間幅の前記無電圧ＯＮ信号２５ａに変換し前記無電圧入力回路１４に出力するように構成されている
ことを特徴とする自動通報装置１０である。
【００８３】
請求項２７に記載の発明によれば、請求項１２乃至２５のいずれか一項に記載の効果と同様の効果を奏する。
【００８４】
【発明の実施の形態】
以下、図面に基づき、本発明の一実施形態を説明する。
【００８５】
始めに、図面に基づき、自動通報装置１０の実施形態を説明する。
【００８６】
図１は、本発明の自動通報装置１０を説明するための機能ブロック図である。図２は、図１の自動通報装置１０の具体的な接続構成を説明するためのシステム図である。
【００８７】
図１または図２に示す自動通報装置１０は、顧客の家屋内に設けられ、信号入力線１５と入力を共有して有電圧信号１６ａを受信する有電圧入力回路１２及び信号入力線１５と入力を共有して無電圧信号１６ｂを受信する無電圧入力回路１４を有し、これらの有電圧信号１６ａや無電圧信号１６ｂの受信に応じて所定の通報動作をセキュリティ管理センターに対して行う機能を有し、ＣＰＵ（図示せず）、有電圧入力回路１２、無電圧入力回路１４、入力インタフェース装置２０を中心にして構成され、その出力端にはマイコンメータ１１が接続され、また入力端には信号入力線１５を共有して外部スイッチ１８と有電圧警報器１６が並列に接続された回路構成を有している。なお、自動通報装置１０とセキュリティ管理センターとは電話回線を介して接続されており、セキュリティ管理センターはノーリンギング通信サービスを利用してセキュリティサービスを行っている。
【００８８】
図１または図２に示す有電圧警報器１６とは、有電圧特性を有する警報器であって、具体的には、正常時には６Ｖの電位を有電圧信号１６ａとして常時生成し、有電圧警報器１６のコンセント抜け時や停電時等の原因が有電圧警報器１６に対して発生した場合に零電位（具体的には、接地電位）を有電圧信号１６ａとして生成し、異常を検知した時には１２Ｖの電位を有電圧信号１６ａとして生成する機能を有するデバイスであって、具体的には、ガス漏れ警報器１６を意味している。
【００８９】
またガス漏れ警報器１６とは、顧客の家屋内のキッチンの天井部分や風呂場の湯沸かし器の近傍に設けられ、具体的には、正常時には６Ｖの電位を有電圧信号１６ａとして常時生成し、ガス漏れ警報器１６のコンセント抜け時や停電時等の原因がガス漏れ警報器１６に対して発生した場合に零電位（具体的には、接地電位）を有電圧信号１６ａとして生成し、ガス漏れを検知した時には１２Ｖの電位を有電圧信号１６ａとして生成する機能を有するセンサデバイスを意味している。以下の説明では、有電圧警報器１６をガス漏れ警報器１６で代表することにする。
【００９０】
図３は、図１の自動通報装置１０におけるガス漏れ警報器１６の出力段の保護回路を説明するための回路図である。
【００９１】
ガス漏れ警報器１６の出力段には、外部スイッチ１８の閉動作に応じた短絡状態においても破壊されないように図３に示すような保護回路が設けられている。
【００９２】
図３の保護回路において、外部スイッチ１８が押下されると、抵抗素子Ｒの両端の電圧が約０．７Ｖとなり、トランジスタＴｒ１が活性化（ＯＮ）され、トランジスタＴｒ２のベース電流が減少することにより、過大な電流（短絡電流＝抵抗素子Ｒ×ダイオードＱ１に流れる電流Ｉ）がガス漏れ警報器１６の出力段に流れて破壊されるようなことを回避している。
【００９３】
図１または図２に示すマイコンメータ１１は、顧客の家屋内に設けられ、ガス供給路１１Ａに供給されるガス使用量（単位は［立方メートル］）を計数し、ガス遮断弁１１Ｂを開閉制御してガスの供給及び遮断を行う機能を有しており、有電圧入力回路１２の入力端が入力インタフェース装置２０の出力端に接続されて有電圧信号１６ａの授受が行われ、同様に、無電圧入力回路１４の入力端が入力インタフェース装置２０の出力端に接続されて無電圧信号１６ｂの授受が行われ、マイコンメータ１１の入出力端と入力インタフェース装置２０の入出力端とが接続されてガス弁遮断信号２２ａや電文（図示せず）の授受が行われる回路構成となっている。
【００９４】
すなわち、後述するスイッチング制御を実行する入力インタフェース装置２０をガス漏れ警報器１６と有電圧入力回路１２との間、及びガス漏れ警報器１６と無電圧入力回路１４との間に設けることにより、信号入力線１５を共有化した外部スイッチ１８を設けた場合であっても、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉してマイコンメータ１１に誤通報してしまう可能性を回避でき、外部スイッチ１８が押下されたことを既設の信号入力線１５を介して自動通報装置１０やマイコンメータ１１に通報できる入力インタフェース装置２０を新たに外部スイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、外部スイッチ１８と信号入力線１５を共有化した場合であっても、外部スイッチ１８の短絡状態が原因で自動通報装置１０やマイコンメータ１１が破壊してしまう可能性を回避できる入力インタフェース装置２０を実現できるようになるといった効果を奏する。
【００９５】
図１または図２に示す外部スイッチ１８は、通常は接点を開状態に維持してこの開状態を意味するスイッチ信号１８ａ（通常６Ｖの無電圧信号１６ｂ）を生成し、また押下されたときに接点を閉状態に維持してこの閉状態を意味するスイッチ信号１８ａ（通常零Ｖの無電圧信号１６ｂ）を生成する機能を有し、顧客の家屋内に設けられ、顧客が何らかの異常を感じてセキュリティサービスを受けたい旨をセキュリティ管理センターに伝えるときに押下される。なお、セキュリティ管理センターがセキュリティサービス以外の付加サービスをオプションとして提供している場合には、この付加サービスを顧客が受けたいときにその旨をセキュリティ管理センターに伝えるときに押下される。
【００９６】
本実施形態では、顧客がガス漏れの異常を感じてセキュリティサービスを受けたい旨をセキュリティ管理センターに伝えるときに押下されて零Ｖの無電圧信号１６ｂが生成されることを想定している。またセキュリティ管理センターがセキュリティサービス以外の付加サービスとしてお米の配送サービスをオプションとして提供している場合に零Ｖの無電圧信号１６ｂを生成することも想定している。以下の説明では、外部スイッチ１８を米びつスイッチ１８と総称することにする。
【００９７】
このような米びつスイッチ１８を設けることに依り、顧客は、お米の配送サービスを付加サービスとして受けたいときに、米びつスイッチ１８を押下してその旨をセキュリティ管理センターに伝えることができる。
【００９８】
ガス漏れ警報器１６に加えて、米びつスイッチ１８が生成する無電圧信号１６ｂの受信に応じて所定の通報動作（無電圧信号１６ｂの送信）を行う米びつスイッチ１８を設ける場合には、後述する入力インタフェース装置２０を米びつスイッチ１８と自動通報装置１０との間に設けることになる。
【００９９】
図１または図２に示す有電圧入力回路１２は、信号入力線１５と入力を共有して有電圧信号１６ａを受信する機能を有している。
【０１００】
図１または図２に示す無電圧入力回路１４は、信号入力線１５と入力を共有して無電圧信号１６ｂを受信する機能を有している。
【０１０１】
次に、図面に基づき、入力インタフェース装置２０の実施形態を説明する。
【０１０２】
図４は、図１の自動通報装置１０における入力インタフェース装置２０の基本回路構成を説明するための回路図である。
【０１０３】
本実施形態の入力インタフェース装置２０は、信号入力線１５と有電圧入力回路１２の入力端との間、及び信号入力線１５と無電圧入力回路１４の入力端との間に設けられ、信号入力線１５を共通にして送られてくる有電圧信号１６ａまたは無電圧信号１６ｂを受け取って自動通報装置１０に受け渡す機能を有し、スイッチング回路２１、変換回路２２、バックアップ電源回路２３、信号入力線状態判定回路２４、無電圧信号引き延ばし回路２５、発光回路３０を中心にして構成されている。
【０１０４】
具体的には、入力インタフェース装置２０は、米びつスイッチ１８の出力端とガス漏れ警報器１６の出力端とが信号入力線１５を介して入力側に接続され、有電圧入力回路１２の入力端と無電圧入力回路１４の入力端とが出力端に各々接続されている。
【０１０５】
図４に示すスイッチング回路２１は、回路遮断信号２１ａを無電圧入力回路１４に伝達して米びつスイッチ１８の押下の通報を指示し、かつ回路遮断信号２１ａの有電圧入力回路１２への印加を遮断するスイッチング制御を実行する機能を有している。
【０１０６】
具体的には、スイッチング回路２１は、回路遮断信号２１ａに同期して米びつスイッチ１８の短絡状態を介して無電圧入力回路１４の入力端から有電圧入力回路１２の入力端への電流の流れ込みを遮断するスイッチング制御を実行している。
【０１０７】
換言すると、信号入力線状態判定回路２４が、スイッチ信号１８ａに応じて信号入力線１５が短絡されたことを検知し、信号入力線１５の短絡状態が検知されたときに信号入力線１５の短絡状態の検知に同期して回路遮断信号２１ａを生成する際に、スイッチング回路２１が、回路遮断信号２１ａを無電圧入力回路１４に伝達して米びつスイッチ１８の押下の通報を指示し、かつ回路遮断信号２１ａに同期して無電圧入力回路１４から有電圧入力回路１２を電気的に切断するスイッチング制御を実行していることになる。
【０１０８】
また換言すれば、信号入力線状態判定回路２４が、スイッチ信号１８ａに応じて信号入力線１５が短絡されたことを検知すると同時に、信号入力線１５の短絡状態が検知されたときに信号入力線１５の短絡状態の検知に同期して回路遮断信号２１ａを生成した際に、スイッチング回路２１が、回路遮断信号２１ａを無電圧入力回路１４に伝達して米びつスイッチ１８の押下の通報を指示し、かつ回路遮断信号２１ａに同期して米びつスイッチ１８の短絡状態（スイッチの閉状態）を介して無電圧入力回路１４の入力端から有電圧入力回路１２の入力端への電流の流れ込みを遮断するスイッチング制御を実行することになる。
【０１０９】
すなわち、この様なスイッチング制御を実行することにより、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、米びつスイッチ１８が押下されたことを既設の信号入力線１５を介して自動通報装置１０に通報できる入力インタフェース装置２０を新たに米びつスイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、米びつスイッチ１８と信号入力線１５を共有化した場合であっても、米びつスイッチ１８の短絡状態が原因で自動通報装置１０自体が破壊してしまう可能性を回避できる入力インタフェース装置２０を実現できるようになるといった効果を奏する。
【０１１０】
また、スイッチング回路２１は、回路遮断信号２１ａを無電圧入力回路１４に伝達して米びつスイッチ１８の押下の通報を指示し、かつ回路遮断信号２１ａの有電圧入力回路１２への印加を遮断する機能も有している。
【０１１１】
換言すれば、信号入力線状態判定回路２４が、停電時の信号入力線１５の電位を検知すると同時に、停電時電位Ｖ１が検知されたときに停電時電位Ｖ１の検知に同期して回路遮断信号２１ａを生成慕際に、スイッチング回路２１が、回路遮断信号２１ａを無電圧入力回路１４に伝達して米びつスイッチ１８の押下の通報を指示し、かつ回路遮断信号２１ａに同期して米びつスイッチ１８の短絡状態を介して無電圧入力回路１４の入力端から有電圧入力回路１２の入力端への電流の流れ込みを遮断するスイッチング制御を実行することになる。
【０１１２】
また換言すれば、信号入力線状態判定回路２４が、停電時電位Ｖ１に応じて信号入力線１５が短絡されたことを検知すると同時に、信号入力線１５の短絡状態が検知されたときに信号入力線１５の短絡状態の検知に同期して回路遮断信号２１ａを生成した際に、スイッチング回路２１が、回路遮断信号２１ａを無電圧入力回路１４に伝達して米びつスイッチ１８の押下の通報を指示し、かつ回路遮断信号２１ａに同期して無電圧入力回路１４から有電圧入力回路１２を電気的に切断するスイッチング制御を実行することになる。
【０１１３】
また換言すれば、信号入力線状態判定回路２４が、停電時電位Ｖ１に応じて信号入力線１５が短絡されたことを検知すると同時に、信号入力線１５の短絡状態が検知されたときに信号入力線１５の短絡状態の検知に同期して回路遮断信号２１ａを生成した場合に、スイッチング回路２１が、回路遮断信号２１ａを無電圧入力回路１４に伝達して米びつスイッチ１８の押下の通報を指示し、かつ回路遮断信号２１ａに同期して米びつスイッチ１８の短絡状態を介して無電圧入力回路１４の入力端から有電圧入力回路１２の入力端への電流の流れ込みを遮断するスイッチング制御を実行することになる。
【０１１４】
すなわち、この様なスイッチング制御を実行することにより、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、米びつスイッチ１８が押下されたことを既設の信号入力線１５を介して自動通報装置１０に通報できる入力インタフェース装置２０を工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、米びつスイッチ１８と信号入力線１５を共有化した場合であっても、米びつスイッチ１８の短絡状態が原因で自動通報装置１０自体が破壊してしまう可能性を回避できる入力インタフェース装置２０を実現できるようになるといった効果を奏する。
【０１１５】
このような機能を実現するために、スイッチング回路２１は、米びつスイッチ１８が活性化された際の有電圧信号１６ａの信号状態または停電時の有電圧信号１６ａの信号状態に応じて、有電圧入力回路１２及び変換回路２２を信号入力線状態判定回路２４から電気的に切断して信号入力線状態判定回路２４から有電圧入力回路１２または変換回路２２への電流の流れ込みを遮断してスイッチング制御を実行するように構成されている。
【０１１６】
具体的なスイッチング回路２１は、所定電圧の入力信号に応じて導通状態となる第２ツェナーダイオードＺＤ２と、第２ツェナーダイオードＺＤ２の導通状態に応じて活性化される第４トランジスタ（ｎｐｎトランジスタ）Ｔｒ４と、第４トランジスタ（ｎｐｎトランジスタ）Ｔｒ４の活性化に応じて活性化されて変換回路２２及び有電圧入力回路１２にガス漏れ警報器１６からの有電圧信号１６ａを供給する第３トランジスタ（ｐｎｐトランジスタ）Ｔｒ３を中心にして構成されている。
【０１１７】
すなわち、有電圧信号１６ａの信号状態または停電時の有電圧信号１６ａの信号状態に応じて有電圧入力回路１２及び変換回路２２を信号入力線状態判定回路２４から電気的に切断して信号入力線状態判定回路２４から有電圧入力回路１２または変換回路２２への電流の流れ込みを遮断するようなスイッチング制御を実行することにより、信号入力線状態判定回路２４からの有電圧信号１６ａの有電圧が無電圧入力回路１４に印加されることが回避できるようになり、その結果、信号入力線状態判定回路２４を介して自動通報装置１０内の有電圧入力回路１２と無電圧入力回路１４とが互いに干渉して誤通報してしまう可能性を回避でき、米びつスイッチ１８が押下されたことを既設の信号入力線１５を介して自動通報装置１０に通報できる入力インタフェース装置２０を工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、米びつスイッチ１８と信号入力線１５を共有化した場合であっても、米びつスイッチ１８の短絡状態が原因で自動通報装置１０自体が破壊してしまう可能性を回避できる入力インタフェース装置２０を実現できるようになるといった効果を奏する。
【０１１８】
またスイッチング回路２１は、米びつスイッチ１８が活性化された際にまたは停電時に放電電流を発光素子ＬＥＤに供給するために発光素子ＬＥＤに対して順方向（すなわち、アノードからカソードに向かう方向）に接続された第１ダイオードＤ１及び第８抵抗素子Ｒ８を有している。
【０１１９】
図５は、図１の入力インタフェース装置２０におけるスイッチング回路２１の動作を説明するための有電圧信号１６ａの波形図である。
【０１２０】
具体的には、スイッチング回路２１において、図５に示すように、入力回路が約４Ｖ以上で第２ツェナーダイオードＺＤ２が導通し、第４トランジスタ（ｎｐｎトランジスタ）Ｔｒ４にベース電流が流れ第４トランジスタ（ｎｐｎトランジスタ）Ｔｒ４が活性化する。これに依り、第３トランジスタ（ｐｎｐトランジスタ）Ｔｒ３が活性化する。従って、ガス漏れ警報器１６からの入力電圧が約４Ｖ以上で第３トランジスタ（ｐｎｐトランジスタ）Ｔｒ３が活性化して変換回路２２及び自動通報装置１０にガス漏れ警報器１６の有電圧信号１６ａを供給する。
【０１２１】
また米びつスイッチ１８を活性化した時または停電時、ガス漏れ警報器１６からの有電圧信号１６ａは零になる。この回路がないと、停電時に信号入力線状態判定回路２４から自動通報装置１０の有電圧入力回路１２や変換回路２２に電流が流れ出し信号入力線状態判定回路２４が誤動作してしまう。このため、停電時には自動通報装置１０や変換回路２２を切り離す必要があり、このためスイッチング回路２１を用いている。
【０１２２】
これに依り、ガス漏れ警報器１６から供給される電力を第１ダイオードＤ１及び第８抵抗素子Ｒ８を介して第４コンデンサーＣ４に蓄積し、第４コンデンサーＣ４に蓄積された電荷を用いて発光素子ＬＥＤの発光動作を行うので、新たにバッテリーを用意する必要がなく、またバッテリーの交換作業を必要とせず、米びつスイッチ１８が押下された際に米びつスイッチ１８の接点が確実に閉じられてスイッチ信号１８ａが生成されたか否かを押下時点で確認できる自動通報装置１０を実現できるようになるといった効果を奏する。
【０１２３】
図４に示す変換回路２２は、所定電位以上の有電圧信号１６ａを検出した場合にマイコンメータ１１にガス弁遮断信号２２ａを出力する機能を有している。この場合、マイコンメータ１１は、ガス弁遮断信号２２ａの受信に応じてガス供給路１１Ａに設けられたガス遮断弁１１Ｂを閉制御して供給ガスの遮断制御を実行するように接続されている。
【０１２４】
また変換回路２２は、所定電位以上の有電圧信号１６ａを検出した場合に、有電圧信号１６ａを検出したタイミングから所定時間だけ遅延した状態でマイコンメータ１１にガス弁遮断信号２２ａを出力するように構成されている。
【０１２５】
具体的な変換回路２２は、所定電位以上の有電圧信号１６ａを検出した場合に導通状態となる第１ツェナーダイオードＺＤ１と、第１ツェナーダイオードＺＤ１の導通状態に応じて活性化される第１トランジスタ（ｎｐｎトランジスタ）Ｔｒ１と、第１トランジスタ（ｎｐｎトランジスタ）Ｔｒ１の活性化に応じて不活性化される第２トランジスタ（ｎｐｎトランジスタ）Ｔｒ２と、第２トランジスタ（ｎｐｎトランジスタ）Ｔｒ２の不活性化に応じて充電電圧を生成する第１抵抗素子Ｒ１及び第１コンデンサーＣ１とで構成された充電回路と、充電回路の充電電圧と所定の閾値電圧との比較を行い、充電電圧が閾値電圧を越えた際にガス弁遮断信号２２ａを生成する第１コンパレータ（オペアンプ）ＩＣ１と、入力インタフェース装置２０とマイコンメータ１１とを電気的に絶縁すると同時に、ガス弁遮断信号２２ａを光信号に光電変換してマイコンメータ１１に伝達する第１フォトカップラＰＨ１を中心にして構成されている。を有している。
【０１２６】
このような回路において、ガス漏れ警報器１６からの有電圧信号１６ａが約９Ｖ以上になると、第１ツェナーダイオードＺＤ１が導通して第１トランジスタ（ｎｐｎトランジスタ）Ｔｒ１が活性化する。これに依り、第２トランジスタ（ｎｐｎトランジスタ）Ｔｒ２が不活性化して第１抵抗素子Ｒ１を通じて第１コンデンサーＣ１が充電される。この充電電圧が第２抵抗素子Ｒ２，第３抵抗素子Ｒ３で決まる閾値電圧よりも高くなると、それを第１コンパレータ（オペアンプ）ＩＣ１で判定して第１フォトカップラＰＨ１を駆動してマイコンメータ１１へガス弁遮断信号を出力する。本実施形態では、遅延時間を約４５秒に設定している。
【０１２７】
このような回路構成によれば、信号入力線１５を共有化した米びつスイッチ１８を設けた場合であっても、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉してマイコンメータ１１に誤った遮断制御を命令する可能性を回避でき、米びつスイッチ１８が押下されたことを既設の信号入力線１５を介して自動通報装置１０やマイコンメータ１１に通報できる入力インタフェース装置２０を有する自動通報装置１０を新たに米びつスイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、米びつスイッチ１８と信号入力線１５を共有化した場合であっても、米びつスイッチ１８の短絡状態が原因で自動通報装置１０やマイコンメータ１１が破壊してしまう可能性を回避できる入力インタフェース装置２０を実現できるようになるといった効果を奏する。
【０１２８】
図４に示すバックアップ電源回路２３は、ガス漏れ警報器１６からの有電圧信号１６ａを電源として所定の電力を蓄積すると同時に、米びつスイッチ１８が活性化されたときまたは停電時にガス漏れ警報器１６から有電圧信号１６ａが零電位になった場合に、蓄積電力を信号入力線状態判定回路２４及び無電圧信号引き延ばし回路２５に供給して正常動作を促す機能を有している。
【０１２９】
これに依り、米びつスイッチ１８の押下に応じて零電位になる有電圧信号１６ａを用いて信号入力線状態判定回路２４及び無電圧信号引き延ばし回路２５を正常動作させることができるようになるといった効果を奏する。
【０１３０】
この様な機能を実現するために、バックアップ電源回路２３は、ガス漏れ警報器１６からの有電圧信号１６ａを電源として所定の電力を蓄積するための第５抵抗素子Ｒ５及び第２コンデンサーＣ２と、第２コンパレータ（モノマルチバイブレータ）ＩＣ２に入力される信号の信号レベルが最大動作電圧を越えないようにするリミッタとしての第４ツェナーダイオードＺＤ４を中心にして構成されている。
【０１３１】
このような回路において、ガス漏れ警報器１６からの有電圧信号１６ａを電源として、第５抵抗素子Ｒ５を通じて第２コンデンサーＣ２を充電する（約４Ｖ）。第４ツェナーダイオードＺＤ４は、警報時に１２Ｖが印加される場合もあり
第２コンパレータ（モノマルチバイブレータ）ＩＣ２の最大動作電圧を越えてしまうことがあるため、第２コンデンサーＣ２の電圧が一定になるようにする。この電源バックアップ電源回路２３で信号入力線状態判定回路２４、無電圧信号１６ｂ引き延ばし回路２５が動作する。米びつスイッチ１８を活性化すると、ガス漏れ警報器１６から有電圧信号１６ａが零になるので、バックアップ電源回路２３が有効となる。
【０１３２】
このような回路構成によれば、ガス漏れ警報器１６からの有電圧信号１６ａを電源として第５抵抗素子Ｒ５を通じて第２コンデンサーＣ２を充電することができるようになる。また警報時に第４ツェナーダイオードＺＤ４に１２Ｖが印加された場合に第２コンパレータ（モノマルチバイブレータ）ＩＣ２ＩＣ２の最大動作電圧を越えないように第２コンデンサーＣ２の電位を一定にできるようになる。になるようにする。これにより、米びつスイッチ１８の押下に応じて零電位になる有電圧信号１６ａを用いて信号入力線状態判定回路２４及び無電圧信号引き延ばし回路２５を正常動作させることができるようになるといった効果を奏する。
【０１３３】
図４に示す信号入力線状態判定回路２４は、信号入力線１５を介してスイッチ信号１８ａを検知すると同時に、スイッチ信号１８ａが検知されたときにスイッチ信号１８ａの検知に同期して回路遮断信号２１ａを生成する機能を有している。
【０１３４】
更に、信号入力線状態判定回路２４は、停電時の信号入力線１５の停電時電位Ｖ１を検知すると同時に、停電時電位Ｖ１（具体的には、４Ｖ以下の電位）が検知されたときに停電時電位Ｖ１の検知に同期して回路遮断信号２１ａを生成する機能を有している。
【０１３５】
具体的な信号入力線状態判定回路２４は、米びつスイッチ１８が活性化され押され、入力電圧が所定電圧以下になったときに導通状態となる第３ツェナーダイオードＺＤ３と、第３ツェナーダイオードＺＤ３の導通状態に応じて活性化されて回路遮断信号２１ａを生成する第５トランジスタ（ｐｎｐトランジスタ）Ｔｒ５を有し、第５トランジスタ（ｐｎｐトランジスタ）Ｔｒ５のベース電流が第３ツェナーダイオードＺＤ３を介して米びつスイッチ１８に流れ込むように構成されている。
【０１３６】
無電圧信号引き延ばし回路２５は、信号入力線状態判定回路２４からの回路遮断信号２１ａを受信して所定の時間幅を有する無電圧ＯＮ信号２５ａに信号変換すると同時に、無電圧ＯＮ信号２５ａを無電圧入力回路１４に伝達する機能を有している。
【０１３７】
このような回路構成において、米びつスイッチ１８が押され、、図５に示すように、入力電圧が約１Ｖ以下になったときに第３ツェナーダイオードＺＤ３が導通し、第５トランジスタ（ｐｎｐトランジスタ）Ｔｒ５が活性化されて回路遮断信号を生成する。これに依り、第５トランジスタ（ｐｎｐトランジスタ）Ｔｒ５のベース電流が第３ツェナーダイオードＺＤ３を通じて米びつスイッチ１８に流れる。即ち、信号入力線状態判定回路２４は外部に電流が流れ出すことで動作する。
【０１３８】
すなわち、この様な無電圧信号引き延ばし回路２５を設けて所定の時間幅を有するガス弁遮断信号２２ａを生成することにより、自動通報装置１０への無電圧ＯＮ信号２５ａの継続時間を十分確保し同時に無電圧ＯＮ信号２５ａの信号時間幅のジッタを低減し、自動通報装置１０が動作するのに十分な信号時間幅を確保できるようになるといった効果を奏する。特に、人が押すケースが多い米びつスイッチ１８であっても、押下時間の個人差に起因する無電圧ＯＮ信号２５ａの信号時間幅のジッタを吸収して常に一定時間幅を有し且つ自動通報装置１０が動作するのに十分な信号時間幅を確保できるようになる。その結果、マイコンメータ１１は確度の高い遮断制御を命令できるようになり、入力インタフェース装置２０は米びつスイッチ１８が押下されたことを既設の信号入力線１５を介して自動通報装置１０やマイコンメータ１１に高い精度で通報できるようになるといった効果を奏する。
【０１３９】
図４に示す無電圧信号引き延ばし回路２５は、所定の時間幅を決定するための第６抵抗素子Ｒ６及び第３コンデンサーＣ３を有する時定数回路と、信号入力線状態判定回路２４からの回路遮断信号２１ａと所定の閾値電圧との比較を行い、回路遮断信号２１ａが閾値電圧を越えた際に所定の時間幅だけ活性化される第２コンパレータ（モノマルチバイブレータ）ＩＣ２と、入力インタフェース装置２０と無電圧入力回路１４とを電気的に絶縁すると同時に、第２コンパレータ（モノマルチバイブレータ）ＩＣ２の活性化に応じて所定の時間幅だけ活性化され無電圧ＯＮ信号２５ａを光信号に光電変換して無電圧入力回路１４に伝達する第２フォトカップラＰＨ２を中心にして構成されている。
【０１４０】
このような回路構成において、信号入力線状態判定回路２４からの回路遮断信号が入ると第２コンパレータ（モノマルチバイブレータ）ＩＣ２が動作して一定時間（すなわち、遅延時間）第２フォトカップラＰＨ２を駆動して自動通報装置１０へ無電圧ＯＮ信号を出力する。一定時間は、第６抵抗素子Ｒ６，第３コンデンサーＣ３で決まり、約５秒である。米びつスイッチ１８は人が押すので、活性化時間がばらつき、自動通報装置１０が動作するのに十分な時間が得られないことが考えられるので、無電圧信号１６ｂ引き延ばし回路２５で十分な時間の信号を生成している。
【０１４１】
スイッチング回路２１には約４Ｖ以上で電流が流れ込むのでスイッチング回路２１は無視できる。また、約４Ｖでスイッチング回路２１が不活性化し、自動通報装置１０や変換回路２２を切り離す。また、、図５に示すように、約１Ｖでスイッチング回路２１が動作して電流が流れ出す。ここで、既に自動通報装置１０や変換回路２２が切り離されているため、電流が流れ出すところがなく、誤動作しない。
【０１４２】
なお、停電時に米びつスイッチ１８を押せば、バックアップ電源回路２３で信号入力線状態判定回路２４、無電圧信号１６ｂ引き延ばし回路２５が動作するので通報が可能である。
【０１４３】
このような回路構成によれば、この様な時定数回路と第２コンパレータ（モノマルチバイブレータ）ＩＣ２とを設けて所定の時間幅の基準値を生成することにより、自動通報装置１０への無電圧ＯＮ信号２５ａの継続時間を十分確保し同時に無電圧ＯＮ信号２５ａの信号時間幅のジッタを低減し、自動通報装置１０が動作するのに十分な信号時間幅を確保できるようになるといった効果を奏する。特に、人が押すケースが多い米びつスイッチ１８であっても、押下時間の個人差に起因する無電圧ＯＮ信号２５ａの信号時間幅のジッタを吸収して常に一定時間幅を有し且つ自動通報装置１０が動作するのに十分な信号時間幅を確保できるようになる。その結果、マイコンメータ１１は確度の高い遮断制御を命令できるようになり、入力インタフェース装置２０は米びつスイッチ１８が押下されたことを既設の信号入力線１５を介して自動通報装置１０やマイコンメータ１１に高い精度で通報できるようになるといった効果を奏する。また第２フォトカップラＰＨ２を設けることにより、無電圧入力回路１４と入力インタフェース装置２０間の電気的絶縁を保つことができるようになる。
【０１４４】
図６（ａ）は、図１の自動通報装置１０における発光回路３０の基本回路構成を説明するための回路図であり、図６（ｂ）は、図６（ａ）の発光回路３０に停電時の誤動作回避機能を付加した回路構成を説明するための回路図である。
【０１４５】
図６（ａ）に示す発光回路３０は、米びつスイッチ１８が活性化された際にガス漏れ警報器１６からの電力によって発光するように接続され、また停電時に発光するように接続された発光素子ＬＥＤを備えている。
【０１４６】
これに依り、ガス漏れ警報器１６から供給される電力を用いて発光素子ＬＥＤの発光動作を行うので、新たにバッテリーを用意する必要がなく、またバッテリーの交換作業を必要とせず、米びつスイッチ１８が押下された際に米びつスイッチ１８の接点が確実に閉じられてスイッチ信号１８ａが生成されたか否かを押下時点で確認できる自動通報装置１０を実現できるようになるといった効果を奏する。
【０１４７】
この様な発光回路３０をスイッチング回路２１に内蔵する場合、スイッチング回路２１は、図６（ｂ）に示すように、平常時にガス漏れ警報器１６から出力されている定常電位に順方向接続された第１ダイオードＤ１と、第１ダイオードＤ１のカソードに接続された第７抵抗素子Ｒ７と、第１ダイオードＤ１及び第７抵抗素子Ｒ７を介して充電される第４コンデンサー（電解コンデンサー）Ｃ４を中心にして構成されている。
【０１４８】
またこの場合、発光素子ＬＥＤは、米びつスイッチ１８の活性化時または停電時に第４コンデンサーＣ４の蓄積電荷の放電電流を用いて発光するように放電電流に対して順方向（すなわち、アノードからカソードに向かう方向）に接続されている。
【０１４９】
図６（ｂ）の回路においては、ガス漏れ警報器１６から通常有電圧信号１６ａとして６Ｖが出力されているので、コンデンサーＣ４に、ダイオードＤ１、第１抵抗素子Ｒ１を通じて充電し、米びつスイッチ１８を押すと第２抵抗素子Ｒ２、発光素子ＬＥＤ、ダイオードＤ２を通じて放電し、発光素子ＬＥＤが光るため、米びつスイッチ１８が押下されて接点が閉じたことを確認できる。
【０１５０】
またスイッチング回路２１に発光回路３０を組み込むことによって、停電時であっても、入力インタフェース装置２０が誤動作することを回避できる。
【０１５１】
このような回路構成のスイッチング回路２１によれば、ガス漏れ警報器１６から供給される電力を第４コンデンサーＣ４に蓄積し、第４コンデンサーＣ４に蓄積された電荷を用いて発光素子ＬＥＤの発光動作を行うので、新たにバッテリーを用意する必要がなく、またバッテリーの交換作業を必要とせず、米びつスイッチ１８が押下された際に米びつスイッチ１８の接点が確実に閉じられてスイッチ信号１８ａが生成されたか否かを押下時点で確認できる自動通報装置１０を実現できるようになるといった効果を奏する。
【０１５２】
要約すれば、以上の回路構成を有する入力インタフェース装置２０は、ガス漏れ警報器１６からの有電圧信号１６ａの信号レベルが所定時間以上警報レベルを維持した場合にガス弁遮断信号２２ａを出力してマイコンメータ１１に対して供給ガス遮断制御を実行し、ガス漏れ警報器１６からの有電圧信号１６ａが伝送される信号入力線１５に接続された米びつスイッチ１８からのスイッチ信号１８ａを検知しスイッチ信号１８ａを所定時間幅の無電圧ＯＮ信号２５ａに変換し無電圧入力回路１４に出力することができるようになる。
【０１５３】
換言すれば、入力インタフェース装置２０はガス漏れ警報器１６からの有電圧信号１６ａの信号レベルが所定時間以上警報レベルを維持した場合に無電圧ＯＮ信号２５ａを出力してマイコンメータ１１に対して供給ガス遮断制御を実行し、ガス漏れ警報器１６からの有電圧信号１６ａが伝送される信号入力線１５に接続された米びつスイッチ１８からのスイッチ信号１８ａを検知しスイッチ信号１８ａを所定時間幅の無電圧ＯＮ信号２５ａに変換し無電圧入力回路１４に出力することになる。
【０１５４】
具体的には、入力インタフェース装置２０は、自動通報装置１０内に設置され、ガス漏れ警報器１６からの警報信号（１２Ｖ）が約４５秒以上継続すると、ガス弁遮断信号（無電圧ＯＮ信号）を出力してマイコンメータ１１を遮断する。また、ガス漏れ警報器１６からの有電圧信号１６ａ入力線に接続された米びつスイッチ１８の瞬時の活性化信号を検知して、５秒間の活性化信号に変換し自動通報装置１０に出力する。
【０１５５】
これに依り、既存の信号入力線１５を流用してスイッチ信号１８ａを送ることができ、新たに米びつスイッチ１８専用の信号入力線１５を敷設する場合に比較して、工事費が安く、家の壁に新たな穴をあけるような傷を付ける工事が不要となる。
【０１５６】
以上説明したように、自動通報装置１０に依れば、回路遮断信号２１ａの有電圧入力回路１２への印加を遮断するスイッチング制御を実行することにより、ガス漏れ警報器１６からの有電圧信号１６ａの有電圧が無電圧入力回路１４に印加されることが回避できるようになり、その結果、自動通報装置１０内の有電圧入力回路１２と無電圧入力回路１４とが互いに干渉して誤通報してしまう可能性を回避でき、米びつスイッチ１８が押下されたことを既設の信号入力線１５を介して自動通報装置１０に通報できる入力インタフェース装置２０を新たに米びつスイッチ１８専用の信号入力線１５を敷設する場合に比較して工事費を安価にでき且つ家屋の壁へ工事穴を穿孔することなく実現できるようになる。更に、この様な入力インタフェース装置２０をガス漏れ警報器１６と有電圧入力回路１２との間、及びガス漏れ警報器１６と無電圧入力回路１４との間に設けることにより、米びつスイッチ１８と信号入力線１５を共有化した場合であっても、米びつスイッチ１８の押下が原因で自動通報装置１０自体が破壊してしまう可能性を回避できる入力インタフェース装置２０を実現できるようになるといった効果を奏する。
【０１５７】
【発明の効果】
請求項１に記載の発明によれば、回路遮断信号の有電圧入力回路への印加を遮断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの押下が原因で自動通報装置自体が破壊してしまう可能性を回避できる入力インタフェース装置を実現できるようになるといった効果を奏する。
【０１５８】
請求項２に記載の発明によれば、有電圧入力回路の入力端への電流の流れ込みを遮断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１５９】
請求項３に記載の発明によれば、信号入力線短絡状態の検知に同期して回路遮断信号を生成し、回路遮断信号に同期して無電圧入力回路から有電圧入力回路を電気的に切断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６０】
請求項４に記載の発明によれば、信号入力線短絡状態の検知に同期して回路遮断信号を生成し、回路遮断信号に同期して無電圧入力回路の入力端から有電圧入力回路の入力端への電流の流れ込みを遮断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６１】
請求項５に記載の発明によれば、停電時電位の検知に同期して回路遮断信号を生成し、回路遮断信号に同期して回路遮断信号の有電圧入力回路への印加を遮断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６２】
請求項６に記載の発明によれば、停電時電位の検知に同期して回路遮断信号を生成し、回路遮断信号に同期して外部スイッチの短絡状態を介して無電圧入力回路の入力端から有電圧入力回路の入力端への電流の流れ込みを遮断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６３】
請求項７に記載の発明によれば、信号入力線短絡状態の検知に同期して回路遮断信号を生成し、回路遮断信号に同期して無電圧入力回路から有電圧入力回路を電気的に切断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６４】
請求項８に記載の発明によれば、信号入力線短絡状態の検知に同期して回路遮断信号を生成し、回路遮断信号に同期して外部スイッチの短絡状態を介して無電圧入力回路の入力端から有電圧入力回路の入力端への電流の流れ込みを遮断するスイッチング制御を実行することにより、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６５】
請求項９に記載の発明によれば、請求項１乃至８のいずれか一項に記載の効果に加えて、前述のスイッチング制御を実行する入力インタフェース装置を有電圧警報器と有電圧入力回路との間、及び有電圧警報器と無電圧入力回路との間に設けることにより、信号入力線を共有化した外部スイッチを設けた場合であっても、有電圧警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６６】
請求項１０に記載の発明によれば、請求項９に記載の効果に加えて、前述のスイッチング制御を実行する入力インタフェース装置をガス漏れ警報器と有電圧入力回路との間、及びガス漏れ警報器と無電圧入力回路との間に設けることにより、信号入力線を共有化した外部スイッチを設けた場合であっても、ガス漏れ警報器からの有電圧信号の有電圧が無電圧入力回路に印加されることが回避できるようになり、その結果、自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置をガス漏れ警報器と有電圧入力回路との間、及びガス漏れ警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１６７】
請求項１１に記載の発明によれば、請求項１０に記載の効果に加えて、前述のスイッチング制御を実行する入力インタフェース装置をガス漏れ警報器と有電圧入力回路との間、及びガス漏れ警報器と無電圧入力回路との間に設けることにより、信号入力線を共有化した外部スイッチを設けた場合であっても、ガス漏れ警報器からの有電圧信号の有電圧が無電圧入力回路に印加されることが回避できるようになり、その結果、自動通報装置内の有電圧入力回路と無電圧入力回路とが互いに干渉してマイコンメータに誤通報してしまう可能性を回避でき、外部スイッチが押下されたことを既設の信号入力線を介して自動通報装置やマイコンメータに通報できる入力インタフェース装置を新たに外部スイッチ専用の信号入力線を敷設する場合に比較して工事費を安価にあげ且つ家屋の壁へ工事穴を穿孔することなく実現できるようになる。更に、この様な入力インタフェース装置をガス漏れ警報器と有電圧入力回路との間、及びガス漏れ警報器と無電圧入力回路との間に設けることにより、外部スイッチと信号入力線を共有化した場合であっても、外部スイッチの短絡状態が原因で自動通報装置やマイコンメータが破壊してしまう可能性を回避できる入力インタフェース装置を実現できるようになるといった効果を奏する。
【０１６８】
請求項１２に記載の発明によれば、請求項９乃至１１のいずれか一項に記載の効果に加えて、供給ガスの遮断制御を実行する入力インタフェース装置をガス漏れ警報器と有電圧入力回路との間、及びガス漏れ警報器と無電圧入力回路との間に設けることにより、信号入力線を共有化した外部スイッチを設けた場合であっても、ガス漏れ警報器からの有電圧信号の有電圧が無電圧入力回路に印加されることが回避できるようになり、その結果、自動通報装置内の有電圧入力回路と無電圧入力回路とが互いに干渉してマイコンメータに誤った遮断制御を命令する可能性を回避でき、外部スイッチが押下されたことを既設の信号入力線を介して自動通報装置やマイコンメータに通報できる入力インタフェース装置を有する自動通報装置を新たに外部スイッチ専用の信号入力線を敷設する場合に比較して工事費を安価にあげ且つ家屋の壁へ工事穴を穿孔することなく実現できるようになる。更に、この様な入力インタフェース装置をガス漏れ警報器と有電圧入力回路との間、及びガス漏れ警報器と無電圧入力回路との間に設けることにより、外部スイッチと信号入力線を共有化した場合であっても、外部スイッチの短絡状態が原因で自動通報装置やマイコンメータが破壊してしまう可能性を回避できる入力インタフェース装置を実現できるようになるといった効果を奏する。
【０１６９】
請求項１３に記載の発明によれば、請求項１２に記載の効果に加えて、この様な無電圧信号引き延ばし回路を設けて遅延処理をガス弁遮断信号を生成することにより、自動通報装置への無電圧ＯＮ信号の継続時間を十分確保し同時に無電圧ＯＮ信号の信号時間幅のジッタを低減し、自動通報装置が動作するのに十分な信号時間幅を確保できるようになるといった効果を奏する。特に、人が押すケースが多い外部スイッチであっても、押下時間の個人差に起因する無電圧ＯＮ信号の信号時間幅のジッタを吸収して常に一定時間幅を有し且つ自動通報装置が動作するのに十分な信号時間幅を確保できるようになる。その結果、マイコンメータは確度の高い遮断制御を命令できるようになり、入力インタフェース装置は外部スイッチが押下されたことを既設の信号入力線を介して自動通報装置やマイコンメータに高い精度で通報できるようになるといった効果を奏する。
【０１７０】
請求項１４に記載の発明によれば、請求項１３に記載の効果と同様の効果を奏する。
【０１７１】
請求項１５に記載の発明によれば、請求項１２に記載の効果に加えて、有電圧信号の信号状態または停電時の有電圧信号の信号状態に応じて有電圧入力回路及び変換回路を信号入力線状態判定回路から電気的に切断して信号入力線状態判定回路から有電圧入力回路または変換回路への電流の流れ込みを遮断するようなスイッチング制御を実行することにより、信号入力線状態判定回路からの有電圧信号の有電圧が無電圧入力回路に印加されることが回避できるようになり、その結果、信号入力線状態判定回路を介して自動通報装置内の有電圧入力回路と無電圧入力回路とが互いに干渉して誤通報してしまう可能性を回避でき、外部スイッチが押下されたことを既設の信号入力線を介して自動通報装置に通報できる入力インタフェース装置を工事費を安価にあげ且つ家屋の壁へ工事穴を穿孔することなく実現できるようになる。更に、この様な入力インタフェース装置を有電圧警報器と有電圧入力回路との間、及び有電圧警報器と無電圧入力回路との間に設けることにより、外部スイッチと信号入力線を共有化した場合であっても、外部スイッチの短絡状態が原因で自動通報装置自体が破壊してしまう可能性を回避できる入力インタフェース装置を実現できるようになるといった効果を奏する。
【０１７２】
請求項１６に記載の発明によれば、請求項１５に記載の効果と同様の効果を奏する。
【０１７３】
請求項１７に記載の発明によれば、請求項１５または１６に記載の効果に加えて、ガス漏れ警報器から供給される電力を用いて発光素子の発光動作を行うので、新たにバッテリーを用意する必要がなく、またバッテリーの交換作業を必要とせず、外部スイッチ８が押下された際に外部スイッチの接点が確実に閉じられてスイッチ信号が生成されたか否かを押下時点で確認できる自動通報装置を実現できるようになるといった効果を奏する。
【０１７４】
請求項１８に記載の発明によれば、請求項１５または１６に記載の効果と同様の効果を奏する。
【０１７５】
請求項１９に記載の発明によれば、請求項１７または１８に記載の効果に加えて、ガス漏れ警報器から供給される電力を第４コンデンサーに蓄積し、第４コンデンサーに蓄積された電荷を用いて発光素子の発光動作を行うので、新たにバッテリーを用意する必要がなく、またバッテリーの交換作業を必要とせず、外部スイッチ８が押下された際に外部スイッチの接点が確実に閉じられてスイッチ信号が生成されたか否かを押下時点で確認できる自動通報装置を実現できるようになるといった効果を奏する。
【０１７６】
請求項２０に記載の発明によれば、請求項１９に記載の効果に加えて、ガス漏れ警報器から供給される電力を第１ダイオード及び第８抵抗素子を介して第４コンデンサーに蓄積し、第４コンデンサーに蓄積された電荷を用いて発光素子の発光動作を行うので、新たにバッテリーを用意する必要がなく、またバッテリーの交換作業を必要とせず、外部スイッチ８が押下された際に外部スイッチの接点が確実に閉じられてスイッチ信号が生成されたか否かを押下時点で確認できる自動通報装置を実現できるようになるといった効果を奏する。
【０１７７】
請求項２１に記載の発明によれば、請求項１２に記載の効果と同様の効果を奏する。
【０１７８】
請求項２２に記載の発明によれば、請求項１２に記載の効果に加えて、この様な無電圧信号引き延ばし回路を設けて所定の時間幅を有するガス弁遮断信号を生成することにより、自動通報装置への無電圧ＯＮ信号の継続時間を十分確保し同時に無電圧ＯＮ信号の信号時間幅のジッタを低減し、自動通報装置が動作するのに十分な信号時間幅を確保できるようになるといった効果を奏する。特に、人が押すケースが多い外部スイッチであっても、押下時間の個人差に起因する無電圧ＯＮ信号の信号時間幅のジッタを吸収して常に一定時間幅を有し且つ自動通報装置が動作するのに十分な信号時間幅を確保できるようになる。その結果、マイコンメータは確度の高い遮断制御を命令できるようになり、入力インタフェース装置は外部スイッチが押下されたことを既設の信号入力線を介して自動通報装置やマイコンメータに高い精度で通報できるようになるといった効果を奏する。
【０１７９】
請求項２３に記載の発明によれば、請求項２２に記載の効果に加えて、この様な時定数回路と第２コンパレータとを設けて所定の時間幅の基準値を生成することにより、自動通報装置への無電圧ＯＮ信号の継続時間を十分確保し同時に無電圧ＯＮ信号の信号時間幅のジッタを低減し、自動通報装置が動作するのに十分な信号時間幅を確保できるようになるといった効果を奏する。特に、人が押すケースが多い外部スイッチであっても、押下時間の個人差に起因する無電圧ＯＮ信号の信号時間幅のジッタを吸収して常に一定時間幅を有し且つ自動通報装置が動作するのに十分な信号時間幅を確保できるようになる。その結果、マイコンメータは確度の高い遮断制御を命令できるようになり、入力インタフェース装置は外部スイッチが押下されたことを既設の信号入力線を介して自動通報装置やマイコンメータに高い精度で通報できるようになるといった効果を奏する。また第２フォトカップラを設けることにより、無電圧入力回路と入力インタフェース装置間の電気的絶縁を保つことができるようになる。
【０１８０】
請求項２４に記載の発明によれば、請求項１２に記載の効果に加えて、外部スイッチの押下に応じて零電位になる有電圧信号を用いて信号入力線状態判定回路及び無電圧信号引き延ばし回路を正常動作させることができるようになるといった効果を奏する。
【０１８１】
請求項２５に記載の発明によれば、請求項２４に記載の効果に加えて、ガス漏れ警報器からの有電圧信号を電源として第５抵抗素子Ｒ５を通じて第２コンデンサーＣ２を充電することができるようになる。また警報時に第４ツェナーダイオードＺＤ４に１２Ｖが印加された場合に第２コンパレータＩＣ２の最大動作電圧を越えないように第２コンデンサーＣ２の電位を一定にできるようになる。になるようにする。これにより、外部スイッチの押下に応じて零電位になる有電圧信号を用いて信号入力線状態判定回路及び無電圧信号引き延ばし回路を正常動作させることができるようになるといった効果を奏する。
【０１８２】
請求項２６に記載の発明によれば、請求項１２乃至２５のいずれか一項に記載の効果に加えて、既存の信号入力線を流用してスイッチ信号を送ることができ、新たに外部スイッチ専用の信号入力線を敷設する場合に比較して、工事費が安く、家の壁に新たな穴をあけるような傷を付ける工事が不要となる。
【０１８３】
請求項２７に記載の発明によれば、請求項１２乃至２５のいずれか一項に記載の効果と同様の効果を奏する。
【図面の簡単な説明】
【図１】本発明の自動通報装置を説明するための機能ブロック図である。
【図２】図１の自動通報装置の具体的な接続構成を説明するためのシステム図である。
【図３】図１の自動通報装置におけるガス漏れ警報器の出力段の保護回路を説明するための回路図である。
【図４】図１の自動通報装置における入力インタフェース装置の基本回路構成を説明するための回路図である。
【図５】図１の入力インタフェース装置におけるスイッチング回路の動作を説明するための有電圧信号の波形図である。
【図６】図６（ａ）は、図１の自動通報装置における発光回路の基本回路構成を説明するための回路図であり、図６（ｂ）は、図６（ａ）の発光回路に停電時の誤通報回避機能を付加した回路構成を説明するための回路図である。
【図７】図７（ａ）は、従来の自動通報装置を説明するための機能ブロック図であり、図７（ｂ）は、図７（ａ）の自動通報装置において、外部スイッチを付加する場合の接続構成を説明するための機能ブロック図である。
【図８】図７の自動通報装置の内部回路の基本回路構成を説明するための回路図である。
【図９】図８の自動通報装置における発光回路の基本回路構成を説明するための回路図である。
【符号の説明】
１０…自動通報装置
１１…マイコンメータ
１１Ａ…ガス供給路
１１Ｂ…ガス遮断弁
１２…有電圧入力回路
１４…無電圧入力回路
１５…信号入力線
１６…有電圧警報器（ガス漏れ警報器）
１６ａ…有電圧信号
１６ｂ…無電圧信号
１８…外部スイッチ
１８ａ…スイッチ信号
２０…入力インタフェース装置（警報器アダプタ）
２１…スイッチング回路
２１ａ…回路遮断信号
２２…変換回路
２２ａ…ガス弁遮断信号
２３…バックアップ電源回路
２４…信号入力線状態判定回路
２５…無電圧信号引き延ばし回路
２５ａ…無電圧ＯＮ信号
３０…発光回路
Ｃ１…第１コンデンサー
Ｃ２…第２コンデンサー
Ｃ３…第３コンデンサー
Ｃ４…第４コンデンサー
Ｄ１…第１ダイオード
ＩＣ１…第１コンパレータ
ＩＣ２…第２コンパレータ
ＬＥＤ…発光素子
ＰＨ１…第１フォトカップラ
ＰＨ２…第２フォトカップラ
Ｒ１…第１抵抗素子
Ｒ５…第５抵抗素子
Ｒ６…第６抵抗素子
Ｒ７…第７抵抗素子
Ｒ８…第８抵抗素子
Ｔｒ１…第１トランジスタ
Ｔｒ２…第２トランジスタ
Ｔｒ３…第３トランジスタ
Ｔｒ４…第４トランジスタ
Ｔｒ５…第５トランジスタ
Ｖ１…停電時電位
ＧＮＤ…接地電位
ＺＤ１…第１ツェナーダイオード
ＺＤ２…第２ツェナーダイオード
ＺＤ３…第３ツェナーダイオード
ＺＤ４…第４ツェナーダイオード
【図１】
0003547036.tif 000002
【図２】
0003547036.tif 000003
【図３】
0003547036.tif 000004
【図４】
0003547036.tif 000005
【図５】
0003547036.tif 000006
【図６】
0003547036.tif 000007
【図７】
0003547036.tif 000008
【図８】
0003547036.tif 000009
【図９】
0003547036.tif 000010